(57)【特許請求の範囲】
【請求項１】
冷蔵庫であって、
前方に開口を有する貯蔵室を備えたキャビネット、
前記貯蔵室の少なくとも一部を開閉するように構成されたドア、
前記貯蔵室内に位置するドローア、
前記ドローアが前後方に移動するとき前記ドローアを支持してガイドするように構成されたドローアガイド、及び
前記ドアが開放するとき前記ドローアを押すように構成された引出ユニットを備えてなり、
前記引出ユニットは、
前記ドローアの下側に位置し、前記ドアが開放するとき前方に移動し、前記ドアが閉鎖するとき後方に移動するように構成されたベース部、及び
前記ベース部から上方に伸び、前記ドローアの後方側に配置されてなり、前記ベース部が前方に移動するとき、前記ドローアの後方側から前記ドローアを前方に押すように構成された後方フレームを備えてなることを特徴とする、冷蔵庫。
【請求項２】
前記後方フレームは、前記ベース部から上方に伸び、前記ドローアの後方側に位置し、互いに水平方向に離隔した一対の垂直バーを備えてなることを特徴とする、請求項１に記載の冷蔵庫。
【請求項３】
前記ドアにピボット動作可能に連結された前方端部及び前記ベース部にピボット動作可能に連結された後方端部を有し、前記ドアの開放及び閉鎖の際に前記ベース部を移動させるように構成されたリンクをさらに備えてなり、
前記ベース部は、
前記リンクの後方端部にピボット動作可能に連結された底部、及び
前記底部の後方端部から上方に伸びる後面部を備えてなり、
前記一対の垂直バーはそれぞれ前記後面部に結合された下端部を有することを特徴とする、請求項２に記載の冷蔵庫。
【請求項４】
前記リンクの後方端部は前記底部の下面に連結されることを特徴とする、請求項３に記載の冷蔵庫。
【請求項５】
前記一対の垂直バーのそれぞれは幅より長いビーム形状のフレーム部材の部分を備えてなり、
前記フレーム部材は、前記一対の垂直バーを連結し、前記底部の下面に結合される連結部を備えてなることを特徴とする、請求項３に記載の冷蔵庫。
【請求項６】
冷蔵庫であって、
前方に開口を有する貯蔵室を備えたキャビネット、
前記貯蔵室の少なくとも一部を開閉するように構成されたドア、
前記貯蔵室内に位置するドローア、
前記ドローアが前後方に移動するとき前記ドローアを支持してガイドするように構成されたドローアガイド、及び
前記ドアが開放するとき前記ドローアを押すように構成された引出ユニットを備えてなり、
前記引出ユニットは、
前記ドローアの下側に位置し、前記ドアが開放するとき前方に移動し、前記ドアが閉鎖するとき後方に移動するように構成されたベース部、及び
前記ベース部から前記ドローアの後方側に伸び、前記ベース部が前方に移動するとき前記ドローアを前方に押すように構成された後方フレームを備えてなり、
前記後方フレームは、前記ベース部から上方に伸び、前記ドローアの後方側に位置し、互いに水平方向に離隔した一対の垂直バーを備えてなり、
前記ドアにピボット動作可能に連結された前方端部及び前記ベース部にピボット動作可能に連結された後方端部を有し、前記ドアの開放及び閉鎖の際に前記ベース部を移動させるように構成されたリンクをさらに備えてなり、
前記ベース部は、
前記リンクの後方端部にピボット動作可能に連結された底部、及び
前記底部の後方端部から上方に伸びる後面部を備えてなり、
前記一対の垂直バーはそれぞれ前記後面部に結合された下端部を有してなり、
前記後面部は前記底部から前記冷蔵庫の後方側に傾き、
前記垂直バーは前記後面部に対応して傾く第１傾斜部を備えてなり、
前記第１傾斜部及び前記後面部は互いに結合されることを特徴とする、冷蔵庫。
【請求項７】
前記垂直バーは前記第１傾斜部から前記冷蔵庫の上側に垂直に伸びる第１垂直部をさらに備えてなることを特徴とする、請求項６に記載の冷蔵庫。
【請求項８】
前記ドローアの上側に位置する一つ以上のドローアをさらに備えてなり、
前記第１垂直部は少なくとも前記ドローアの上側に位置する前記一つ以上のドローアのうち最下側ドローアの底に対応する高さまで垂直に伸びることを特徴とする、請求項７に記載の冷蔵庫。
【請求項９】
前記垂直バーは、
前記第１垂直部から前記冷蔵庫の後方側に上方に傾く第２傾斜部、及び
前記第２傾斜部から前記冷蔵庫の上側に垂直に伸びる第２垂直部をさらに備えてなり、
前記第２垂直部は前記一つ以上のドローアのうち前記最下側ドローアの上側にある第２ドローアまで垂直に伸びることを特徴とする、請求項８に記載の冷蔵庫。
【請求項１０】
前記引出ユニットは、前記一対の垂直バーを連結し、前記ベース部の上側に位置する連結バーをさらに備えてなることを特徴とする、請求項２に記載の冷蔵庫。
【請求項１１】
前記引出ユニットは前記連結バーの上側又は下側に位置する一つ以上の追加連結バーをさらに備えてなることを特徴とする、請求項１０に記載の冷蔵庫。
【請求項１２】
前記引出ユニットは、
前記連結バーから前方に突出するアーム、及び
前記アーム上に回転可能に位置するローラーをさらに備えてなり、
前記冷蔵庫は、前記冷蔵庫内に位置し、前記引出ユニットが移動するとき前記ローラーを支持するように構成されるアームガイドをさらに備えてなることを特徴とする、請求項１０に記載の冷蔵庫。
【請求項１３】
前記アームは前記貯蔵室の側面と前記ドローアの間に位置することを特徴とする、請求項１２に記載の冷蔵庫。
【請求項１４】
前記アームガイドは、前記ローラーの下側の前記ローラーと接触するように構成され、前記ローラーの移動路に沿って伸びるローラーガイド面を備えてなることを特徴とする、請求項１２に記載の冷蔵庫。
【請求項１５】
前記アームガイドは前記ドローア側に開放するガイド溝を形成し、前記ローラーガイド面は前記ガイド溝内で前記ローラーを支持することを特徴とする、請求項１４に記載の冷蔵庫。
【請求項１６】
冷蔵庫であって、
前方に開口を有する貯蔵室を備えたキャビネット、
前記貯蔵室の少なくとも一部を開閉するように構成されたドア、
前記貯蔵室内に位置するドローア、
前記ドローアが前後方に移動するとき前記ドローアを支持してガイドするように構成されたドローアガイド、及び
前記ドアが開放するとき前記ドローアを押すように構成された引出ユニットを備えてなり、
前記引出ユニットは、
前記ドローアの下側に位置し、前記ドアが開放するとき前方に移動し、前記ドアが閉鎖するとき後方に移動するように構成されたベース部、及び
前記ベース部から上方に伸び、前記ドローアの後方側に配置されてなり、前記ベース部が前方に移動するとき、前記ドローアの後方側から前記ドローアを前方に押すように構成された後方フレームを備えてなり、
前記後方フレームは、前記ベース部から上方に伸び、前記ドローアの後方側に位置し、互いに水平方向に離隔した一対の垂直バーを備えてなり、
前記一対の垂直バーの各垂直バーの下端部は前記ベース部に結合されることを特徴とする、冷蔵庫。
【請求項１７】
前記ドアにピボット動作可能に連結された前方端部及び前記ベース部にピボット動作可能に連結された後方端部を有し、前記ドアの開閉時に前記ベース部を移動させるように構成されたリンクをさらに備えてなり、
前記ベース部は、
前記リンクの前記後方端部にピボット動作可能に連結された底部、及び
前記底部の後方端部から上方に伸びる後面部を備えてなり、
前記一対の垂直バーはそれぞれ前記後面部に結合された下端部を有することを特徴とする、請求項１６に記載の冷蔵庫。
【請求項１８】
前記後面部上に位置し、前記一対の垂直バーの各下端部を収容するように構成され、それぞれ各垂直バーの両側面を取り囲むように構成されたポケットを形成する一対のホルダーをさらに備えてなることを特徴とする、請求項１７に記載の冷蔵庫。
【請求項１９】
冷蔵庫であって、
前方に開口を有する貯蔵室を備えたキャビネット、
前記貯蔵室の少なくとも一部を開閉するように構成されたドア、
前記貯蔵室内に位置するドローア、
前記ドローアが前後方に移動するとき前記ドローアを支持してガイドするように構成されたドローアガイド、及び
前記ドアが開放するとき前記ドローアを押すように構成された引出ユニットを備えてなり、
前記引出ユニットは、
前記ドローアの下側に位置し、前記ドアが開放するとき前方に移動し、前記ドアが閉鎖するとき後方に移動するように構成されたベース部、及び
前記ベース部から前記ドローアの後方側に伸び、前記ベース部が前方に移動するとき前記ドローアを前方に押すように構成された後方フレームを備えてなり、
前記後方フレームは、前記ベース部から上方に伸び、前記ドローアの後方側に位置し、互いに水平方向に離隔した一対の垂直バーを備えてなり、
前記ドアにピボット動作可能に連結された前方端部、及び前記ベース部にピボット動作可能に連結された後方端部を有し、前記ドアの開閉時に前記ベース部を移動させるように構成されたリンクをさらに備えてなり、
前記ベース部は、
前記リンクの前記後方端部にピボット動作可能に連結された底部、
前記底部の側端部から上方に伸びる一対の側面部、及び
前記底部の後方端部から上方に伸び、前記一対の側面部を連結するように構成された後面部を備えてなり、
前記引出ユニットは、前記一対の側面部及び前記後面部を取り囲むように構成され、前記後面部の第１端部が前記側面部の一つと連結される第１位置で折り曲げられ、前記後面部の第２端部が前記側面部の他の一つと連結される第２位置で折り曲げられる補強バンドをさらに備えてなることを特徴とする、冷蔵庫。
【請求項２０】
前記補強バンドは金属材料を備えてなることを特徴とする、請求項１９に記載の冷蔵庫。
【請求項２１】
前記一対の垂直バーは前記補強バンドに結合されることを特徴とする、請求項１９に記載の冷蔵庫。
【請求項２２】
前記ドアにピボット動作可能に連結された前方端部及び前記ベース部にピボット動作可能に連結された後方端部を有し、前記ドアの開閉時に前記ベース部を移動させるように構成されたリンクをさらに備えてなることを特徴とする、請求項１に記載の冷蔵庫。
【請求項２３】
前記前方端部は、前記前方端部と前記ドアの間の連結部に位置し、前記ドアの回転軸から特定距離に位置する第１ピボットジョイントを形成し、
前記後方端部は前記後方端部と前記ベース部の間の連結部に位置する第２ピボットジョイントを形成することを特徴とする、請求項２２に記載の冷蔵庫。
【請求項２４】
前記ベース部は前記冷蔵庫の後面に直角で伸びるスリットを形成し、
前記後方端部は前記スリットに沿って移動するように構成されることを特徴とする、請求項２３に記載の冷蔵庫。
【請求項２５】
前記ベース部が前方に移動するとき、前記リンクの後方端部は前記スリットの前方端部に位置することを特徴とする、請求項２４に記載の冷蔵庫。
【請求項２６】
前記ドアが閉まるとき、前記リンクの後方端部は前記スリットの前方端部から離隔することを特徴とする、請求項２５に記載の冷蔵庫。
【請求項２７】
前記ベース部の両側に位置し、前記ベース部の前後方への移動をガイドするように構成された一対の引出ユニットガイドをさらに備えてなり、
前記第１ピボットジョイントは前記冷蔵庫の左側に位置し、前記第２ピボットジョイントは前記冷蔵庫の右側に位置するか又は前記第１ピボットジョイントは前記冷蔵庫の右側に位置し、前記第２ピボットジョイントは前記冷蔵庫の左側に位置することを特徴とする、請求項２３に記載の冷蔵庫。
【請求項２８】
前記リンクは、
前記前方端部から伸び、前記ドアが開放するとき前記ドアの回転軸に対して凹んでいる第１屈曲部、及び
前記第１屈曲部の反対方向に折り曲げられ、前記第１屈曲部と前記後方端部の間に位置する第２屈曲部を備えてなることを特徴とする、請求項２２に記載の冷蔵庫。
【請求項２９】
前記ベース部と前記貯蔵室の側面に位置し、前記ベース部の前後方への移動をガイドするように構成された引出ユニットガイドをさらに備えてなることを特徴とする、請求項１に記載の冷蔵庫。
【請求項３０】
前記引出ユニットは、
前記貯蔵室の前記側面上に位置し、前後方に伸びるレール、及び
前記ベース部上に位置し、前記ベース部が動くとき前記レールと接触して回転するように構成されたローラーを備えてなることを特徴とする、請求項２９に記載の冷蔵庫。
【請求項３１】
前記ベース部と前記貯蔵室の底に位置し、前記ベース部の前後方への移動をガイドするように構成された引出ユニットガイドをさらに備えてなることを特徴とする、請求項１に記載の冷蔵庫。
【請求項３２】
前記ドローアガイドは前記貯蔵室の側面と前記ドローアの間に位置することを特徴とする、請求項１に記載の冷蔵庫。
【請求項３３】
前記ドローアガイドは、
前記貯蔵室内に位置し、前後方に伸びる固定レール、及び
前記ドローアに連結され、前記固定レールに沿って移動するように構成された少なくとも一つの可動レールを備えてなることを特徴とする、請求項３２に記載の冷蔵庫。
【請求項３４】
冷蔵庫であって、
前方に開口を有する貯蔵室を備えたキャビネット、
前記貯蔵室の少なくとも一部を開閉するように構成されたドア、
前記貯蔵室内に位置するドローア、
前記ドローアが前後方に移動するとき前記ドローアを支持してガイドするように構成されたドローアガイド、及び
前記ドアが開放するとき前記ドローアを押すように構成された引出ユニットを備えてなり、
前記引出ユニットは、
前記ドローアの下側に位置し、前記ドアが開放するとき前方に移動し、前記ドアが閉鎖するとき後方に移動するように構成されたベース部、及び
前記ベース部から前記ドローアの後方側に伸び、前記ベース部が前方に移動するとき前記ドローアを前方に押すように構成された後方フレームを備えてなり、
前記ドローアガイドは前記貯蔵室の側面と前記ドローアの間に位置し、
前記ドローアガイドは、
前記貯蔵室内に位置し、前後方に伸びる固定レール、及び
前記ドローアに連結され、前記固定レールに沿って移動するように構成された少なくとも一つの可動レールを備えてなり、
前記少なくとも一つの可動レール及び前記ドローアを連結するドローア連結部材をさらに備えてなり、
前記可動レール上にはフックが位置し、
前記ドローア連結部材は前記フックに結合するように構成された結合孔を形成することを特徴とする、冷蔵庫。
【請求項３５】
前記貯蔵室の前記側面上に位置し、前記固定レールに連結されるブラケットをさらに備えてなり、
前記固定レールは、
前記貯蔵室の前記側面に平行に前後方に伸びる第１ストリップ部、
前記第１ストリップ部から前記ドローアまで水平に伸び、前記第１ストリップ部から離隔した第２ストリップ部の部分から上方に伸びるノッチを備えてなる前記第２ストリップ部、及び
前記第２ストリップ部の一端部に位置し、前記可動レールの下端部を収容するように構成されたポケット部を備えてなり、
前記ブラケットは前記固定レールの第１ストリップ部を収容するように構成されたレール取付溝を形成することを特徴とする、請求項３３に記載の冷蔵庫。
【請求項３６】
前記レール取付溝は、
前後方に伸びる垂直面、
前記垂直面の上端部から水平に突出し、前後方に伸びる上側水平面、及び
前記垂直面の下端部から水平に突出し、前後方に伸びる下側水平面を備えてなり、
上側支持突起は前記上側水平面から下方に突出し、下側支持突起は前記下側水平面から上方に突出し、
前記固定レールの前記第１ストリップ部の上端部は前記垂直面と前記上側支持突起の間に位置し、前記下側支持突起は前記固定レールの前記ノッチ内に挿入されることを特徴とする、請求項３５に記載の冷蔵庫。
【請求項３７】
冷蔵庫であって、
前方に開口を有する貯蔵室を備えたキャビネット、
前記貯蔵室の少なくとも一部を開閉するように構成されたドア、
前記貯蔵室内に位置するドローア、
前記ドローアが前後方に移動するとき前記ドローアを支持してガイドするように構成されたドローアガイド、及び
前記ドアが開放するとき前記ドローアを押すように構成された引出ユニットを備えてなり、
前記引出ユニットは、
前記ドローアの下側に位置し、前記ドアが開放するとき前方に移動し、前記ドアが閉鎖するとき後方に移動するように構成されたベース部、及び
前記ベース部から前記ドローアの後方側に伸び、前記ベース部が前方に移動するとき前記ドローアを前方に押すように構成された後方フレームを備えてなり、
前記ドアの閉鎖時に前記ドローアを後方に移動させるように構成される復帰ユニットをさらに備えてなり、
前記復帰ユニットは、
前記ドローアと連結された連結ユニット、
前記連結ユニットに連結され、前記ドローアと同一方向に移動するように構成されたロッカー、
前記貯蔵室内に位置し、前記ロッカーの移動をガイドするように構成されたロッカーガイド、及び
一端部は前記ロッカーガイドに連結され、他端部は前記ロッカーに連結され、前記ロッカーが前方に移動するとき伸長するように構成されたスプリングを備えてなることを特徴とする、冷蔵庫。
【請求項３８】
前記ロッカーは移動ガイド突起及び前記移動ガイド突起に平行な回転突起を備えてなり、
前記ロッカーガイドは、
前後方に伸び、前記移動ガイド突起を収容するように構成された直線ガイドスリット、及び
前記移動ガイド突起が前記直線ガイドスリット内の特定位置に到達するとき、前記回転突起が前記移動ガイド突起の方向を転換させるように構成された回転ガイド溝を備えてなり、
前記ロッカー又は前記連結ユニットの一つには結合突起が位置し、前記ロッカー又は前記連結ユニットの他の一つは結合溝を形成し、前記結合突起は前記ドローアが前方に移動するとき前記結合溝内に挿入されるように構成され、
前記連結ユニット及び前記ロッカーは一緒に前方に移動するように構成され、
前記結合溝は前記回転突起が前記回転ガイド溝に沿って移動するとき前記ロッカーが前記移動ガイド突起を中心に前方に回転すれば前記結合突起から分離されるように構成されることを特徴とする、請求項３７に記載の冷蔵庫。
【請求項３９】
前記回転突起と前記回転ガイド溝間の干渉によって前記ロッカーが同一位置に維持されることを特徴とする、請求項３８に記載の冷蔵庫。
【請求項４０】
前記結合突起と前記結合溝が分離されるとともに前記連結ユニットが後方に移動するとき、前記結合突起が前記結合溝内に挿入されて前記ロッカーを逆方向に回転させることを特徴とする、請求項３９に記載の冷蔵庫。
【請求項４１】
前記ドローアガイドは、
前記貯蔵室内に位置し、前後方に伸びる固定レール、及び
前記ドローアと連結され、前記固定レールに沿って移動するように構成された少なくとも一つの可動レールを備えてなり、
前記連結ユニットは前記可動レールと前記ロッカーを連結することを特徴とする、請求項３７に記載の冷蔵庫。
【請求項４２】
前記連結ユニットは、
前記可動レールに結合された上端部及び垂直に伸びる少なくとも一つの溝を形成する下端部を有する連結タップ、及び
結合溝を形成し、前記連結タップの前記少なくとも一つの溝内に挿入される挿入板を有し、前記連結タップの前記溝から分離されるように構成されたロッカー連結部材を備えてなることを特徴とする、請求項４１に記載の冷蔵庫。
【請求項４３】
前記後方フレームは前記ドローアから分離されており、
前記ドローアは前記ドアの開放又は閉鎖の際に前記後方フレームと前記ドローア間の接触によって移動するように構成されることを特徴とする、請求項１に記載の冷蔵庫。
【請求項４４】
冷蔵庫であって、
前方に開口を有する貯蔵室を備えたキャビネット、
前記貯蔵室の少なくとも一部を開閉するように構成されたドア、
前記貯蔵室内に位置するドローア、
前記ドローアが前後方に移動するとき前記ドローアを支持してガイドするように構成されたドローアガイド、及び
前記ドアが開放するとき前記ドローアを押すように構成された引出ユニットを備えてなり、
前記引出ユニットは、
前記ドローアの下側に位置し、前記ドアが開放するとき前方に移動し、前記ドアが閉鎖するとき後方に移動するように構成されたベース部、及び
前記ベース部から前記ドローアの後方側に伸び、前記ベース部が前方に移動するとき前記ドローアを前方に押すように構成された後方フレームを備えてなり、
前記ドローアガイドは、前記貯蔵室の後面と前記ドローアを連結し、前記引出ユニットが前記ドローアを移動させるとき長さが変化する支持バーを備えてなることを特徴とする、冷蔵庫。
【請求項４５】
前記支持バーは、
前記貯蔵室の後面に連結された固定バー、及び
前記ドローアに連結され、前記固定バーから伸びるように構成された可動バーを備えてなることを特徴とする、請求項４４に記載の冷蔵庫。
【請求項４６】
冷蔵庫であって、
前方に開口を有する貯蔵室を備えたキャビネット、
前記貯蔵室の少なくとも一部を開閉するように構成されたドア、
前記貯蔵室内に位置するドローア、
前記ドローアが前後方に移動するとき前記ドローアを支持してガイドするように構成されたドローアガイド、及び
前記ドアが開放するとき前記ドローアを押すように構成された引出ユニットを備えてなり、
前記引出ユニットは、
前記ドローアの下側に位置し、前記ドアが開放するとき前方に移動し、前記ドアが閉鎖するとき後方に移動するように構成されたベース部、及び
前記ベース部から前記ドローアの後方側に伸び、前記ベース部が前方に移動するとき前記ドローアを前方に押すように構成された後方フレームを備えてなり、
前記ドローアガイドは、前記貯蔵室の後面に結合された後方端部を有し、前記後方端部から前記開口まで水平に伸びることによって前記ドローアの底から前記ドローアを支持する片持ち梁を備えてなることを特徴とする、冷蔵庫。
【請求項４７】
前記貯蔵室の後面はスロットを形成し、前記片持ち梁の後方端部は前記スロットに連結され、前記スロットから分離されるように構成されることを特徴とする、請求項４６に記載の冷蔵庫。
【請求項４８】
前記貯蔵室の前記後面は垂直に配向された一つ以上の付加スロットを形成することを特徴とする、請求項４７に記載の冷蔵庫。
【請求項４９】
前記ドアにピボット動作可能に連結された前方端部及び前記ベース部にピボット動作可能に連結された後方端部を有し、前記ドアの開閉によって前記ベース部を移動させるリンクをさらに備えてなり、
前記リンクは、
前記ドアにピボット動作可能に連結された前方端部を備えてなる第１リンク部材、
前記第１リンク部材の前記後方端部にピボット動作可能に連結された前方端部を備えてなる第２リンク部材、及び
前記第２リンク部材の前記後方端部にピボット動作可能に連結された前方端部及び前記ベース部にピボット動作可能に連結された後方端部を備えた第３リンク部材を備えてなることを特徴とする、請求項１に記載の冷蔵庫。
【請求項５０】
前記ドアが閉まったとき、前記第２リンク部材は前記第３リンク部材に対して鋭角を成すことを特徴とする、請求項４９に記載の冷蔵庫。
【請求項５１】
前記ドアの開放角が約６０度以上のとき、前記引出ユニットが前方に移動することを特徴とする、請求項４９に記載の冷蔵庫。
【請求項５２】
前記ドアが前方に移動し始めるとき、前記第２リンク部材は前記第３リンク部材に対して鈍角を成すことを特徴とする、請求項５１に記載の冷蔵庫。
【請求項５３】
前記ドアの後面のエッジの周りに設けられ、前記ドアが閉まったとき前記キャビネットの前面に密着するガスケットをさらに備えてなり、
前記引出ユニットは前記ドアの開放によって前記ガスケットが前記キャビネットから分離される前に静止状態で維持されることを特徴とする、請求項４９に記載の冷蔵庫。
【請求項５４】
前記第２リンク部材及び前記第３リンク部材は前記第１リンク部材より短いことを特徴とする、請求項４９に記載の冷蔵庫。
【請求項５５】
前記第１リンク部材及び前記第３リンク部材は前記第２リンク部材の上面及び下面の一つに密着することを特徴とする、請求項４９に記載の冷蔵庫。
【請求項５６】
前記第１リンク部材の前記前方端部は丸く形成されることを特徴とする、請求項４９に記載の冷蔵庫。
【請求項５７】
冷蔵庫であって、
前方に開口を有する貯蔵室を備えたキャビネット、
前記貯蔵室の少なくとも一部を開閉するように構成されたドア、
前記貯蔵室内に位置するドローア、
前記ドローアが前後方に移動するとき前記ドローアを支持してガイドするように構成されたドローアガイド、及び
前記ドアが開放するとき前記ドローアを押すように構成された引出ユニットを備えてなり、
前記引出ユニットは、
前記ドローアの下側に位置し、前記ドアが開放するとき前方に移動し、前記ドアが閉鎖するとき後方に移動するように構成されたベース部、及び
前記ベース部から前記ドローアの後方側に伸び、前記ベース部が前方に移動するとき前記ドローアを前方に押すように構成された後方フレームを備えてなり、
前記ドアにピボット動作可能に連結された前方端部及び前記ベース部にピボット動作可能に連結された後方端部を有し、前記ドアの開閉動作によって前記ベース部を移動させるリンク、
前記リンクの前記後方端部から上方に突出する結合突起、
前記ベース部内で前後方に特定長さだけ伸び、前記結合突起が内部に挿入されるようにするスリット、及び
前記結合突起が前後方に移動することを選択的に遮断するために前記スリットの一部を覆うカバー部材をさらに備えてなることを特徴とする、冷蔵庫。
【請求項５８】
前記ベース部は、その内部に形成され、前記カバー部材が着座されるカバー着座段差部を備えてなり、
前記スリットは前記カバー着座段差部の内部に形成され、
前記カバー部材が前記カバー着座段差部に着座されたとき、前記カバー部材の上面と前記ベース部の上面は同一面をなすことを特徴とする、請求項５７に記載の冷蔵庫。
【請求項５９】
前記カバー部材は前記カバー着座段差部に着脱可能に着座されることを特徴とする、請求項５８に記載の冷蔵庫。
【請求項６０】
前記カバー部材は前記カバー着座段差部からスライド移動可能であることを特徴とする、請求項５８に記載の冷蔵庫。
【請求項６１】
前記引出ユニットの底部に形成されたカバー収容凹部をさらに備えてなり、前記底部は前記カバー着座段差部の側面エッジに対応して前記カバー部材を収容し、
前記カバー部材は前記カバー収容凹部内に維持されるように前記引出ユニットの横方向にスライド移動することを特徴とする、請求項６０に記載の冷蔵庫。
【請求項６２】
前記カバー部材の下面から突出するガイド突起、及び
前記カバー収容凹部内に横方向に特定長さだけ形成されて前記ガイド突起を収容する突起ガイド溝をさらに備えてなることを特徴とする、請求項６１に記載の冷蔵庫。
【発明の詳細な説明】
【技術分野】
【０００１】
本発明は冷蔵庫に関するものである。
【背景技術】
【０００２】
一般に、冷蔵庫はドアによって遮蔽される貯蔵空間の内部に低温の食べ物及び飲み物を収容するように構成された家電器機である。冷蔵庫は冷凍サイクルを循環する冷媒との熱交換によって発生した冷気を用いて貯蔵空間の内部を冷却させることにより、上部空間に貯蔵食べ物及び飲み物を収容するように構成される。近年、冷蔵庫はサイズが増加しており、ホームバー、製氷機、棚又はドアボックスなどの装置が冷蔵庫ドアの後面に取り付けられている。この場合、冷蔵庫ドアが閉まるとき、冷蔵庫本体の貯蔵室内に装着された棚又はドローア及び冷蔵庫本体の後面に装着された構成部品が互いに干渉し得る。
【０００３】
この干渉による制約を克服するため、貯蔵空間内に装着されたドローア（例えば、棚又はドローア）の前方端部は冷蔵庫本体の前面から一定距離だけ離れた地点に配置される。
【０００４】
したがって、使用者はドローアに貯蔵された食べ物及び飲み物を取り出すために貯蔵室の中に手を入れる必要がある不便があり、使用者が貯蔵室の後側に貯蔵された食べ物を確認しにくい。これらの制約は冷蔵庫の大型化の趨勢によって冷蔵室がもっと深くなることによって大きくなる。
【０００５】
これらの制約を改善するために多様な方法が提案された。例えば、大韓民国特許出願第２０１０−０１３０３５７号公報（以下、特許３５７と言う）は冷蔵室又は冷凍室内に取り付けられた棚又はドローアが貯蔵フレーム上に置かれる構造を開示する。ここで、多重ジョイントリンクの前方端部は冷蔵庫ドアの底面に連結され、その後方端部は貯蔵フレームに連結される。よって、冷蔵庫ドアが回転して開くとき、貯蔵フレームが前方に移動し、棚及びドローアは冷蔵庫の前方側に移動する。
【０００６】
この場合、棚及びドローアの荷重は全て貯蔵フレームに伝達される。言い替えれば、棚及びドローアの荷重及びその中に貯蔵された食べ物の荷重は全て貯蔵フレームに集中する。よって、その荷重を充分に支えるように貯蔵フレームの構造を設計することが重要なので、貯蔵フレームの構造が複雑になり、その体積が増加する。よって、貯蔵室の自体重量がもっと重くなり、貯蔵室が占有する空間が増加するため、貯蔵室容量の減少を引き起こす。
【０００７】
また、特許３５７の場合において、ドアと連動して貯蔵フレームを動かすリンクは貯蔵フレームの底面に連結されるから、リンクを介して印加される力の適用点はドアの底面上に位置するが、ドローアの重量中心は貯蔵室の底面よりは高い所に集中する。よって、リンクによる力の作用線とドローアによる慣性の作用線は同一線上に存在しないため、貯蔵フレームに作用する曲げモーメント又はせん断力を引き起こし、よって変形を引き起こし、この変形はドローア内の貯蔵食べ物の重量が増加するほどひどくなる。特に、特許３５７の場合、ドローアの荷重が貯蔵フレームによって支持されるから、ドローアの荷重はドローアの慣性に加えて貯蔵フレームの変形を一層促進する原因となる。
【０００８】
また、特許３５７の場合、貯蔵フレームの円滑な引き出しのために、貯蔵フレームを支持するレールが正常に動作するように維持される必要がある。この場合、貯蔵フレームから作用する荷重を充分に支えることができるレールを所定の基準で設計するのに多くの現実的な制約がある。
【０００９】
また、貯蔵フレームから印加される全ての荷重がレールに集中する構造において、貯蔵フレームは移動中に易しく揺れ得る。この搖れが持続してレール又は貯蔵フレームが変形されるとき、貯蔵フレームの移動動作は安定に実行できない。
【００１０】
日本国特許出願第２００４−９３０３９Ａ号公報（以下、特許０３９と言う）は貯蔵室内に配置された棚がアームによってドアに連結され、ドアが開くとき、棚がアームによって引き出される冷蔵庫を開示する。特に、アームは棚に直接連結されている。よって、ドアと連動して複数の棚を一緒に引き出すためにはアームも複数で提供され、それぞれのアームが棚に連結される。
【００１１】
また、アームは棚の高さに対応するように取り付けられる必要があるから、アームの設置位置が制限される。特に、貯蔵室の中間に位置する棚に連結されたアームの大部分は不可避に使用者に露出される。
【００１２】
また、特許３５７及び特許０３９において、貯蔵フレームの構造はそのものが貯蔵室で露出される。よって、外観が良くなく、貯蔵フレームが占有する空間によって貯蔵空間が減少する。その上、貯蔵室内の冷気の循環が貯蔵フレームによって遮断される。
【００１３】
また、使用者がドローアを自動で引き出す機能を望まないが、使用者は自動引出機能を使うか否かを選択することができない。
【００１４】
その上、典型的な冷蔵庫には冷蔵室の気密を維持するために、ドアの後面上に配置されたガスケットが設けられている。ドアが閉まるとき、ガスケットはキャビネットに密着する。典型的な冷蔵庫において、貯蔵フレーム（又はドローア）はドアの開放と同時に引き出される。よって、使用者が閉まっているドアを開けるときはガスケットをキャビネットから分離するための力と貯蔵フレームを引き出すための力が同時に必要であるから、ドアを開けにくくする。
【発明の概要】
【発明が解決しようとする課題】
【００１５】
本発明の目的は、ドアと連動してドローアを自動で引き出す（ドローアを前方に移動させる）引出ユニット、及びドローアの荷重を全的に支持するドローアガイドが設けられた冷蔵庫を提供することであり、引出ユニットはドローアガイドによって支持されるドローアの荷重を受けずにドローアを移動させる役目のみをする。特に、貯蔵室内には複数のドローアが配置されるが、複数のドローアの荷重は各ドローアに対して提供されたドローアガイドによって独立的に支持される。また、引出ユニットは複数のドローアを一緒に引き出し、ドローアの荷重を支持するときに独立的な無負荷支持要素となるように構成される。
【００１６】
本発明の他の目的は、ドローアの後方側に配置された後方フレームを含み、ドアが開放したとき、後方フレームがドローアを前方に押すようにする冷蔵庫を提供することである。
【００１７】
本発明の他の目的は、バーを含むフレーム構造内に後方フレームが形成された冷蔵庫を提供することである。
【００１８】
本発明の目的は、引出ユニットはドローアの下側に配置されて牽引力（例えば、前方に引く力）を受けるベース部、及びベース部から上方に伸び、ベース部が前方に移動するとき、ドローアの後方側でドローアを前方に押すリアフレームを含み、後方フレームはドローアに作用する反動力を耐えて後方に易しくしなわない冷蔵庫を提供することである。
【００１９】
本発明の他の目的は、ドアが閉まったとき、ドローアが自動で原位置に復帰することができる冷蔵庫を提供することである。冷蔵庫は、引出ユニット及びドローアが互いに物理的に分離されているとしても、ドローアを後方に復帰させるための復帰ユニットを含むことができる。
【課題を解決するための手段】
【００２０】
本発明の革新的な態様によれば、冷蔵庫は、ドアが開放するとき前方に移動しながら貯蔵室内に配置されたドローアを前方に引き出す引出ユニットを含むことができる。引出ユニットは、ドアと連動するベース部、及びベース部から上方に伸び、少なくとも一部がドローアの後方側に配置された後方フレームを含むように構成できる。ベース部はリンクによってドアに連結されるか、又はドアの開閉動作によって電気的に駆動されるモーター又はアクチュエーターなどの駆動ユニットから提供される動力によって動くことができる。この場合、後方フレームはベース部と一体に移動しながらドローアを引き出すことができる。
【００２１】
ドローアは貯蔵室内に配置されたドローアガイドによって支持されて移動することができる。ドローアの荷重はドローアガイドによって支持されるから、引出ユニットはドローアの荷重を支える役目をせずにドローアを移動させる役目のみをすることができる。すなわち、ドローアを支持するユニット（すなわち、ドローアユニット）とドローアを引き出すユニット（すなわち、引出ユニット）は互いに別個であるから、引出ユニットは実質的に自体荷重のみを支えることができる。
【００２２】
本発明の革新的な態様によれば、冷蔵庫は、前方に開口を有する貯蔵室を含むキャビネット、前記貯蔵室の少なくとも一部を開閉するように構成されたドア、前記貯蔵室内に位置するドローア、前記ドローアが前後方に移動するとき前記ドローアを支持してガイドするように構成されたドローアガイド、及び前記ドアが開放するとき前記ドローアを押すように構成された引出ユニットを含み、前記引出ユニットは、前記ドローアの下側に位置し、前記ドアが開放するとき前方に移動し、前記ドアが閉鎖するとき後方に移動するように構成されたベース部、及び前記ベース部から前記ドローアの後方側に伸び、前記ベース部が前方に移動するとき前記ドローアを前方に押すように構成された後方フレームを含む。
【００２３】
前記冷蔵庫は次の選択的特徴の一つ以上を含むことができる。前記後方フレームは、前記ベース部から上方に伸び、前記ドローアの後方側に位置し、互いに水平方向に離隔した一対の垂直バーを含むことができる。前記冷蔵庫は、前記ドアにピボット動作可能に連結された前方端部及び前記ベース部にピボット動作可能に連結された後方端部を有し、前記ドアの開放及び閉鎖の際に前記ベース部を移動させるように構成されたリンクをさらに含み、前記ベース部は、前記リンクの後方端部にピボット動作可能に連結された底部、及び前記底部の後方端部から上方に伸びる後面部を含み、前記一対の垂直バーはそれぞれ前記後面部に結合された下端部を有する。前記リンクの後方端部は前記底部の下面に連結される。前記一対の垂直バーのそれぞれは幅より長いビーム形状のフレーム部材の部分を含む。
【００２４】
前記フレーム部材は、前記一対の垂直バーを連結し、前記底部の下面に結合される連結部を含む。前記後面部は前記底部から前記冷蔵庫の後方側に傾く。前記垂直バーは前記後面部に対応して傾く第１傾斜部を含む。前記第１傾斜部及び前記後面部は互いに結合される。前記垂直バーは前記第１傾斜部から前記冷蔵庫の上側に垂直に伸びる第１垂直部をさらに含む。前記ドローアの上側に位置する一つ以上のドローアをさらに含み、前記第１垂直部は少なくとも前記ドローアの上側に位置する前記一つ以上のドローアのうち最下側ドローアの底に対応する高さまで垂直に伸びる。前記垂直バーは、前記第１垂直部から前記冷蔵庫の後方側に上方に傾く第２傾斜部、及び前記第２傾斜部から前記冷蔵庫の上側に垂直に伸びる第２垂直部をさらに含み、前記第２垂直部は前記一つ以上のドローアのうち前記最下側ドローアの上側にある第２ドローアまで垂直に伸びる。前記引出ユニットは、前記一対の垂直バーを連結し、前記ベース部の上側に位置する連結バーをさらに含む。
【００２５】
前記引出ユニットは前記連結バーの上側又は下側に位置する一つ以上の追加連結バーをさらに含む。前記引出ユニットは、前記連結バーから前方に突出するアーム、及び前記アーム上に回転可能に位置するローラーをさらに含み、前記冷蔵庫は、前記冷蔵庫内に位置し、前記引出ユニットが移動するとき前記ローラーを支持するように構成されるアームガイドをさらに含む。前記アームは前記貯蔵室の側面と前記ドローアの間に位置する。前記アームガイドは、前記ローラーの下側の前記ローラーと接触するように構成され、前記ローラーの移動路に沿って伸びるローラーガイド面を含む。前記アームガイドは前記ドローア側に開放するガイド溝を形成し、前記ローラーガイド面は前記ガイド溝内で前記ローラーを支持する。前記一対の垂直バーの各垂直バーの下端部は前記ベース部に結合される。
【００２６】
前記ドアにピボット動作可能に連結された前方端部及び前記ベース部にピボット動作可能に連結された後方端部を有し、前記ドアの開閉時に前記ベース部を移動させるように構成されたリンクをさらに含み、前記ベース部は、前記リンクの前記後方端部にピボット動作可能に連結された底部、及び前記底部の後方端部から上方に伸びる後面部を含み、前記一対の垂直バーはそれぞれ前記後面部に結合された下端部を有する。前記後面部上に位置し、前記一対の垂直バーの各下端部を収容するように構成され、それぞれ各垂直バーの両側面を取り囲むように構成されたポケットを形成する一対のホルダーをさらに含む。前記ドアにピボット動作可能に連結された前方端部、及び前記ベース部にピボット動作可能に連結された後方端部を有し、前記ドアの開閉時に前記ベース部を移動させるように構成されたリンクをさらに含み、前記ベース部は、前記リンクの前記後方端部にピボット動作可能に連結された底部、前記底部の側端部から上方に伸びる一対の側面部、及び前記底部の後方端部から上方に伸び、前記一対の側面部を連結するように構成された後面部を含み、前記引出ユニットは、前記一対の側面部及び前記後面部を取り囲むように構成され、前記後面部の第１端部が前記側面部の一つと連結される第１位置で折り曲げられ、前記後面部の第２端部が前記側面部の他の一つと連結される第２位置で折り曲げられる補強バンドをさらに含む。
【００２７】
前記補強バンドは金属材料を含む。前記一対の垂直バーは前記補強バンドに結合される。前記ドアにピボット動作可能に連結された前方端部及び前記ベース部にピボット動作可能に連結された後方端部を有し、前記ドアの開閉時に前記ベース部を移動させるように構成されたリンクをさらに含む。前記前方端部は、前記前方端部と前記ドアの間の連結部に位置し、前記ドアの回転軸から特定距離に位置する第１ピボットジョイントを形成し、前記後方端部は前記後方端部と前記ベース部の間の連結部に位置する第２ピボットジョイントを形成する。前記ベース部は前記冷蔵庫の後面に直角で伸びるスリットを形成し、前記後方端部は前記スリットに沿って移動するように構成される。前記ベース部が前方に移動するとき、前記リンクの後方端部は前記スリットの前方端部に位置する。前記ドアが閉まるとき、前記リンクの後方端部は前記スリットの前方端部から離隔する。
【００２８】
前記冷蔵庫は、前記ベース部の両側に位置し、前記ベース部の前後方への移動をガイドするように構成された一対の引出ユニットをさらに含み、前記第１ピボットジョイントは前記冷蔵庫の左側に位置し、前記第２ピボットジョイントは前記冷蔵庫の右側に位置するか又は前記第１ピボットジョイントは前記冷蔵庫の右側に位置し、前記第２ピボットジョイントは前記冷蔵庫の左側に位置する。前記リンクは、前記前方端部から伸び、前記ドアが開放するとき前記ドアの回転軸に対して凹んでいる第１屈曲部、及び前記第１屈曲部の反対方向に折り曲げられ、前記第１屈曲部と前記後方端部の間に位置する第２屈曲部を含む。前記冷蔵庫は、前記ベース部と前記貯蔵室の側面に位置し、前記ベース部の前後方への移動をガイドするように構成された引出ユニットをさらに含む。前記引出ユニットは、前記貯蔵室の前記側面上に位置し、前後方に伸びるレール、及び前記ベース部上に位置し、前記ベース部が動くとき前記レールと接触して回転するように構成されたローラーを含む。
【００２９】
前記冷蔵庫は、前記ベース部と前記貯蔵室の底に位置し、前記ベース部の前後方への移動をガイドするように構成された引出ユニットガイドをさらに含む。前記ドローアガイドは前記貯蔵室の側面と前記ドローアの間に位置する。前記ドローアガイドは、前記貯蔵室内に位置し、前後方に伸びる固定レール、及び前記ドローアに連結され、前記固定レールに沿って移動するように構成された少なくとも一つの可動レールを含む。前記冷蔵庫は、前記少なくとも一つの可動レール及び前記ドローアを連結するドローア連結部材をさらに含み、前記可動レール上にはフックが位置し、前記ドローア連結部材は前記フックに結合するように構成された結合孔を形成する。
【００３０】
前記冷蔵庫は、前記貯蔵室の前記側面上に位置し、前記固定レールに連結されるブラケットをさらに含み、前記固定レールは、前記貯蔵室の前記側面に平行に前後方に伸びる第１ストリップ部、前記第１ストリップ部から前記ドローアまで水平に伸び、前記第１ストリップ部から離隔した前記第２ストリップ部の部分から上方に伸びるノッチを含む第２ストリップ部、及び前記第２ストリップ部の一端部に位置し、前記可動レールの下端部を収容するように構成されたポケット部を含み、前記ブラケットは前記固定レールの第１ストリップ部を収容するように構成されたレール取付溝を形成する。前記レール取付溝は、前後方に伸びる垂直面、前記垂直面の上端部から水平に突出し、前後方に伸びる上側水平面、及び前記垂直面の下端部から水平に突出し、前後方に伸びる下側水平面を含み、上側支持突起は前記上側水平面から下方に突出し、下側支持突起は前記下側水平面から上方に突出し、前記固定レールの前記第１ストリップ部の上端部は前記垂直面と前記上側支持突起の間に位置し、前記下側支持突起は前記固定レールの前記ノッチ内に挿入される。
【００３１】
前記冷蔵庫は、前記ドアの閉鎖時に前記ドローアを後方に移動させるように構成される復帰ユニットをさらに含み、前記復帰ユニットは、前記ドローアと連結された連結ユニット、前記連結ユニットに連結され、前記ドローアと同一方向に移動するように構成されたロッカー、前記貯蔵室内に位置し、前記ロッカーの移動をガイドするように構成されたロッカーガイド、及び一端部は前記ロッカーガイドに連結され、他端部は前記ロッカーに連結され、前記ロッカーが前方に移動するとき伸長するように構成されたスプリングを含む。前記ロッカーは移動ガイド突起及び前記移動ガイド突起に平行な回転突起を含み、前記ロッカーガイドは、前後方に伸び、前記移動ガイド突起を収容するように構成された直線ガイドスリット、及び前記移動ガイド突起が前記直線ガイドスリット内の特定位置に到達するとき前記回転突起が前記移動ガイド突起の方向を転換させるように構成された回転ガイド溝を含み、前記ロッカー又は前記連結ユニットの一つには連結突起が位置し、前記ロッカー又は前記連結ユニットの他の一つは結合溝を形成し、前記結合突起は前記ドローアが前方に移動するとき前記結合溝内に挿入されるように構成され、前記連結ユニット及び前記ロッカーは一緒に前方に移動するように構成され、前記結合溝は前記回転突起が前記回転ガイド溝に沿って移動するとき前記ロッカーが前記移動ガイド突起を中心に前方に回転すれば前記結合突起から分離されるように構成される。
【００３２】
前記回転突起と前記回転ガイド溝間の干渉によって前記ロッカーが同一位置に維持される。前記結合突起と前記結合溝が分離されるとともに前記連結ユニットが後方に移動するとき、前記結合突起が前記結合溝内に挿入されて前記ロッカーを逆方向に回転させる。前記ドローアガイドは、前記貯蔵室内に位置し、前後方に伸びる固定レール、及び前記ドローアと連結され、前記固定レールに沿って移動するように構成された少なくとも一つの可動レールを含み、前記連結ユニットは前記可動レールと前記ロッカーを連結する。前記連結ユニットは、前記可動レールに結合された上端部及び垂直に伸びる少なくとも一つの溝を形成する下端部を有する連結タップ、及び結合溝を形成し、前記連結タップの前記少なくとも一つの溝内に挿入される挿入板を有し、前記連結タップの前記溝から分離されるように構成されたロッカー連結部材を含む。
【００３３】
前記後方フレームは前記ドローアから分離されており、前記ドローアは前記ドアの開放又は閉鎖の際に前記後方フレームと前記ドローア間の接触によって移動するように構成される。前記ドローアガイドは、前記貯蔵室の後面と前記ドローアを連結し、前記引出ユニットが前記ドローアを移動させるとき長さが変化する支持バーを含む。前記支持バーは、前記貯蔵室の後面に連結された固定バー、及び前記ドローアに連結され、前記固定バーから伸びるように構成された可動バーを含む。前記ドローアガイドは、前記貯蔵室の後面に結合された後方端部を有し、前記後方端部から前記開口まで水平に伸びることによって前記ドローアの底から前記ドローアを支持する片持ち梁を含む。前記貯蔵室の後面はスロットを形成し、前記片持ち梁の後方端部は前記スロットに連結され、前記スロットから分離されるように構成される。前記貯蔵室の前記後面は垂直に配向された一つ以上の付加スロットを形成する。
【００３４】
前記冷蔵庫は、前記ドアにピボット動作可能に連結された前方端部及び前記ベース部にピボット動作可能に連結された後方端部を有し、前記ドアの開閉によって前記ベース部を移動させるリンクをさらに含む。前記リンクは、前記ドアにピボット動作可能に連結された前方端部を含む第１リンク部材、前記第１リンク部材の前記後方端部にピボット動作可能に連結された前方端部を含む第２リンク部材、及び前記第２リンク部材の前記後方端部にピボット動作可能に連結された前方端部及び前記ベース部にピボット動作可能に連結された後方端部を含む。前記ドアが閉まったとき、前記第２リンク部材は前記第３リンク部材に対して鋭角を成す。
【００３５】
前記ドアの開放角が約６０度以上のとき、前記引出ユニットが前方に移動する。前記ドアが前方に移動し始めるとき、前記第２リンク部材は前記第３リンク部材に対して鈍角を成す。
【００３６】
前記冷蔵庫は、前記ドアの後面のエッジの周りに設けられ、前記ドアが閉まったとき前記キャビネットの前面に密着するガスケットをさらに含み、前記引出ユニットは前記ドアの開放によって前記ガスケットが前記キャビネットから分離される前に静止状態で維持される。
【００３７】
前記第２リンク部材及び前記第３リンク部材は前記第１リンク部材より短い。
【００３８】
前記第１リンク部材及び前記第３リンク部材は前記第２リンク部材の上面及び下面の一つに密着する。
【００３９】
前記第１リンク部材の前記前方端部は丸く形成される。
【００４０】
前記冷蔵庫は、前記ドアにピボット動作可能に連結された前方端部及び前記ベース部にピボット動作可能に連結された後方端部を有し、前記ドアの開閉動作によって前記ベース部を移動させるリンク、前記リンクの前記後方端部から上方に突出する結合突起、前記ベース部内で前後方に特定長さだけ伸び、前記結合突起が内部に挿入されるようにするスリット、及び前記結合突起が前後方に移動することを選択的に遮断するために前記スリットの一部を覆うカバー部材をさらに含む。前記ベース部は、その内部に形成され、前記カバー部材が着座されるカバー着座段差部を含み、前記スリットは前記カバー着座段差部の内部に形成され、前記カバー部材が前記カバー着座段差部に着座されたとき、前記カバー部材の上面と前記ベース部の上面は同一面をなす。前記カバー部材は前記カバー着座段差部に着脱可能に着座される。
【００４１】
前記カバー部材は前記カバー着座段差部からスライド移動可能である。前記引出ユニットの底部に形成されたカバー収容凹部をさらに含み、前記底部は前記カバー着座段差部の側面エッジに対応して前記カバー部材を収容し、前記カバー部材は前記カバー収容凹部内に維持されるように前記引出ユニットの横方向にスライド移動する。
【００４２】
前記冷蔵庫は、前記カバー部材の前記下面から突出するガイド突起、及び前記カバー収容凹部内に横方向に特定長さだけ形成されて前記ガイド突起を収容する突起ガイド溝をさらに含む。
【発明の効果】
【００４３】
前述した冷蔵庫は次のような効果を有する。
【００４４】
一番目、ドローアガイドはドローアの荷重を全的に支持し、引出ユニットはドローアを移動させる役目のみをする。よって、引出ユニットにかかる荷重が減少する。特に、引出ユニットの荷重のみが引出ユニットを支持する引出ユニットガイドに作用するから、引出ユニットを支持する支持要素（例えば、レール）を設計しやすくし、支持要素が円滑に動作することができる。
【００４５】
二番目、引出ユニットを構成する後方フレームがドローアをドローアの後方側から前方に押すので、ドローアを移動させる力が分散されずに前方に集中することができ、よってドローアは引出中に搖れなしに安定に維持できる。
【００４６】
三番目、後方フレームはバーを含むフレーム構造に形成でき、この構造は冷気の循環を容易にする。その上、後方フレームの重量が減少することができ、貯蔵室内の占有空間が減少することができるので、食べ物貯蔵容量を増加させる。
【００４７】
四番目、後方フレームはドローアを後方側から押す構造を有するから、後方フレームは後方フレームが前方に移動するうちにドローアと接触することだけでドローアに押圧力を作用することができる。よって、後方フレームがドローアと独立的に別個の部材で形成されるが（例えば、後方フレームとドローアが互いに物理的に分離されているが）、後方フレームは後方フレームとドローアの間に別個の連結又は組合構造なしにドローアを移動させることができる。
【００４８】
五番目、ドローアの引出中に弾性エネルギーを蓄積した後、その蓄積された弾性エネルギーを用いることによってドローアを原位置に自動で復帰させるための復帰ユニットが提供できる。よって、ドアが閉まるとき、ドローアは自動で復帰することができる。
【００４９】
六番目、使用者は自動引出機能を用いるか否かを自由に選択することができる。
【００５０】
七番目、引出ユニットとドアを連結するリンクが複数のジョイントを含むように構成されるので、ドアが設定角度以上に開いた後にドローアの引出しが開始することができ、ドアのガスケットがキャビネットから分離されるまでドローアは引き出されない。したがって、使用者がドアに印加する力はドアの初期開放段階でキャビネットに密着しているガスケットをキャビネットから分離することにだけ使われた後、ドアの開放後に引出ユニットを引き出すことにだけ使われることができるので、ドアが易しく開くことができるようにし、引出ユニットが易しく引き出されるようにする。
【図面の簡単な説明】
【００５１】
【図１】実例の冷蔵庫の斜視図である。
【図２】ドアが開いた実例の冷蔵庫の図である。
【図３】冷蔵庫の実例の貯蔵室の内部の側面図である。
【図４】冷蔵庫の実例の主要構成部品の分解斜視図である。
【図５】図４のＡ部を示す拡大図である。
【図６】実例のドローア、実例のガイド及び実例の復帰ユニットを示す正面図である。
【図７】図６のＢ部を示す拡大図である。
【図８】実例の引出ユニット及び実例のリンクを示す底面図である。
【図９ａ】後方下側から見た実例の引出ユニットを示す図である。
【図９ｂ】実例の引出ユニットの正面図である。
【図９ｃ】実例の引出ユニットの右側面図である。
【図１０ａ】ドアが閉まったとき、実例のベース部の下面部の図である。
【図１０ｂ】引出し開始角まで開いた図１０ａのドアの図である。
【図１０ｃ】全く開いた図１０ａのドアを示す図である。
【図１１】実例の引出ユニットの斜視図である。
【図１２】実例の引出ユニットの斜視図である。
【図１３】実例の復帰ユニットの拡大斜視図である。
【図１４ａ】復帰ユニットを組み立てる実例の工程図である。
【図１４ｂ】復帰ユニットを組み立てる実例の工程図である。
【図１４ｃ】復帰ユニットを組み立てる実例の工程図である。
【図１５】実例のロッカーの斜視図である。
【図１６】実例のロッカー連結部材の斜視図である。
【図１７】実例の連結タップの斜視図である。
【図１８】ドアが開くとき、ドローアの位置に対応する実例の復帰ユニットの順次動作を示す図である。
【図１９ａ】ドアが閉まった冷蔵庫の実例の貯蔵室の内部の側面図である。
【図１９ｂ】ドアが開いた冷蔵庫の実例の貯蔵室の内部の側面図である。
【図２０】実例のドローア、実例のドローアガイド及び実例の引出ユニットの組立体を示す背面図である。
【図２１】冷蔵庫の実例の貯蔵室の内部を示す図である。
【図２２】ドローアの実例の選択的引出機構を示す拡大斜視図である。
【図２３】図２２の線ＶＩＩ−ＶＩＩについての縦断面図である。
【図２４】ドローアの他の実例の選択的引出機構を示す拡大斜視図である。
【図２５】図２４の線ＩＸ−ＩＸについての縦断面図である。
【図２６】本発明の他の実施例による引出ユニットを示す拡大斜視図である。
【図２７】ドアの開放角による引出ユニットの配置を示す図及びグラフである。
【図２８】ドアの開放角による引出ユニットの配置を示す図及びグラフである。
【図２９】ドアの開放角による引出ユニットの配置を示す図及びグラフである。
【発明を実施するための形態】
【００５２】
図１は実例の冷蔵庫１ａを示す。図２はドア３ａ、３ｂ、３ｃが開いた実例の冷蔵庫を示す。図３は冷蔵庫１ａの実例の貯蔵室Ｓ３を示す。以下に言及する“前／前方”、“後／後方”、“左”、“右”、“上”及び“下”などの方向を指示する表現は図１で指示するように定義される。
【００５３】
図１及び図２を参照すると、冷蔵庫１ａは、その中に形成された隔室ＲＣ、ＦＣ（又は貯蔵室Ｓ１、Ｓ２、Ｓ３、Ｓ４）を含むキャビネット１０、及び隔室ＲＣ、ＦＣを開閉するためのドア３ａ、３ｂ、３ｃ、３ｄを含むことができる。ドア３ａ、３ｂ、３ｃ、３ｄはキャビネット１０にピボット方式で連結できる。
【００５４】
隔室ＲＣ、ＦＣは食べ物を収容するように開放した前面を有することができ、隔室ＲＣ、ＦＣの開放前面はドア３ａ、３ｂ、３ｃ、３ｄによって開閉できる。冷気は隔室ＲＣ、ＦＣ内に供給されることができ、隔室ＲＣ、ＦＣは、冷気が隔室ＲＣ、ＦＣから漏出しないように、ドア３ａ、３ｂ、３ｃ、３ｄによってシールできる。
【００５５】
隔室ＲＣ、ＦＣは複数で提供できる。ボトムフリーザー型冷蔵庫による実施例において、隔室ＲＣ、ＦＣはそれぞれキャビネット１０の上側部と下側部に配置できる。いくつかの実施例において、下側に位置する隔室ＦＣは内部が約０度以下の温度に維持される冷凍室となることができ、下側に位置する隔室ＲＣは内部が約０度以上の温度に維持される冷蔵室となることができる。ここで説明する“隔室”という用語は必要時に冷蔵室又は冷凍室のように区分しない限り、冷蔵室又は冷凍室となることができる。
【００５６】
各隔室ＲＣ、ＦＣは一対のドアによって開閉できる。例えば、一対の冷蔵室ドア３ａ、３ｂは冷蔵室ＲＣを開閉するために提供でき、一対の冷凍室ドア３ｃ、３ｄは冷凍室ＦＣを開閉するために提供できる。
【００５７】
貯蔵室Ｓ１、Ｓ２、Ｓ３、Ｓ４は隔室ＲＣ、ＦＣの一部又は全部を構成することができ、それぞれドア３ａ、３ｂ、３ｃ、３ｄによって開閉される区間と定義できる。冷蔵室ＲＣは、前方面が左側冷蔵室ドア３ａによって開閉される貯蔵室Ｓ１、及び前方面が右側貯蔵室ドア３ｂによって開閉される貯蔵室Ｓ２を含むことができる。以下、必要によって前者は左側冷蔵室Ｓ１と呼ぶことができ、後者は右側冷蔵室Ｓ２と呼ぶことができる。
【００５８】
同様に、冷凍室ＦＣは、前方面が左側冷凍室ドア３ｃによって開閉される貯蔵室Ｓ３、及び前方面が右側冷凍室ドア３ｄによって開閉される貯蔵室Ｓ４を含むことができる。以下、必要によって前者は左側冷凍室Ｓ３と呼ぶことができ、後者は右側冷凍室Ｓ４と呼ぶことができる。
【００５９】
したがって、二つの貯蔵室が一つの隔室の内部に横方向に提供される場合、二つの貯蔵室は互いに連通することができる。例えば、冷蔵室ＲＣの前方から見るとき、冷蔵室ＲＣを左側冷蔵室Ｓ１と右側冷蔵室Ｓ２に分割する部材がない。よって、冷気は左側冷蔵室Ｓ１と右側冷蔵室Ｓ２の間で自由に循環することができる。
【００６０】
いくつかの実施例において、冷蔵室ＲＣとは違い、冷凍室ＦＣには左側冷凍室Ｓ３と右側冷凍室Ｓ４の間に垂直仕切りが提供できるので、二つの貯蔵室Ｓ３、Ｓ４に分割できる。いくつかの実施例において、両貯蔵室Ｓ３、Ｓ４の間での冷気の循環は垂直仕切り２０によって完全に遮断されないことがあり得る。例えば、両貯蔵室Ｓ３、Ｓ４が互いに連通するように垂直仕切り２０に換気口が形成できる。
【００６１】
図３を参照すると、貯蔵室Ｓ１、Ｓ２、Ｓ３、Ｓ４は、開口を有する前面Ｓ（ｆ）、前面Ｓ（ｆ）からそれぞれ後方側に伸び、互いに対向する一対の側面Ｓ（ｓ）、一対の側面Ｓ（ｓ）の上端部を連結する上面Ｓ（ｕ）、上面Ｓ（ｕ）と対向し、一対の側面Ｓ（ｓ）の下端部を連結する下面Ｓ（ｂ）又は底、及び前記開口と対向し、前記一対の側面Ｓ（ｓ）、上面Ｓ（ｕ）及び下面Ｓ（ｂ）を連結する後面Ｓ（ｒ）によって規定できる。
【００６２】
この定義によると、冷凍室ＦＣのような一つの空間が垂直仕切り２０によって二つの側部に分割されて横方向に配置された二つの貯蔵室Ｓ３、Ｓ４を形成する場合、各貯蔵室Ｓ３、Ｓ４の下面Ｓ（ｂ）及び後面Ｓ（ｒ）はキャビネット１０の内側面によって規定でき、上面Ｓ（ｕ）は冷蔵室ＲＣ及び冷凍室ＦＣを分割する水平仕切り７の底面によって規定できる。また、貯蔵室Ｓ３、Ｓ４の両側面の一つはキャビネット１０の内側面１１によって規定でき、他の一つはキャビネット１０の内側面１１と対向する垂直仕切り２０の一面によって規定できる。
【００６３】
いくつかの実施例において、冷蔵室ＲＣが垂直仕切りによって二つに分割されて一対の貯蔵室を有するように構成され、貯蔵室Ｓ１、Ｓ２の両側面のいずれか一つそして冷蔵室ＲＣの上面及び後面はキャビネット１０の内側面によって規定でき、冷蔵室ＲＣの下面は水平仕切り７の上面によって規定できる。また、貯蔵室Ｓ１、Ｓ２の両側面の他の一つは貯蔵室Ｓ１、Ｓ２の両側面の一つと対向する垂直仕切りの一面によって規定できる。
【００６４】
図２を参照すると、ドア３ａ、３ｂ、３ｃ、３ｄはそれぞれ貯蔵室Ｓ１、Ｓ２、Ｓ３、Ｓ４と対応するように配置できる。ドア３ａ、３ｂ、３ｃ、３ｄの後面部、例えば貯蔵室Ｓ１、Ｓ２、Ｓ３、Ｓ４の開放前面と対向する部分には食べ物を貯蔵するためのドア貯蔵部が形成できる。ドア貯蔵部は、頻繁に取り出される乳製品、飲み物及び野菜などの食べ物を収容するための貯蔵ルーム８ａ、氷を貯蔵するためのトレー８ｂ、及び小さなサイズに包装された冷凍食品を貯蔵するためのバスケット８ｃを含むことができる。ドア３ａ、３ｂ、３ｃ、３ｄが閉まるとき、ドア貯蔵部８ａ、８ｂ、８ｃの少なくとも一部は貯蔵室Ｓ１、Ｓ２、Ｓ３、Ｓ４の内部に位置してもよい。
【００６５】
隔室ＲＣ、ＦＣ又は貯蔵室Ｓ１、Ｓ２、Ｓ３、Ｓ４内にはドローアＤが配置できる。ドローアＤは食べ物を収容するとか貯蔵するために提供でき、垂直方向に複数が配置できる。ドローアＤは食べ物を収容するために特定サイズの空間を有する容器（ドローア又はビンと言う）３２０となることができる。また、ドローアＤは平板状の棚３１０となることができる。
【００６６】
図４は冷蔵庫１ａの実例の主要部品を示す。図５は図４のＡ部を示す。図６は実例のドローアＤ１、Ｄ２、Ｄ３、実例のドローアガイド４０ａ及び実例の復帰ユニット８０を示す。図７は図６のＢ部を示す。図８は実例の引出ユニット５０ａ及び実例のリンク７０を示す。図９ａ及び図９ｃは実例の引出ユニット５０ａを示す。
【００６７】
以下、左側冷凍室Ｓ３を説明するが、その説明は他の貯蔵室Ｓ１、Ｓ２、Ｓ４に適用することができる。
【００６８】
冷蔵庫１ａは、キャビネット１０、ドア３ｃ、ドローアＤ、ドローアガイド４０ａ、引出ユニット５０ａ、引出ユニットガイド６０及びリンク７０を含むことができる。
【００６９】
図４を参照すると、ドローアガイド４０ａはドローアＤを支持するために貯蔵室Ｓ３内に配置できる。ドローアガイド４０ａはドローアＤを前後方に動くようにガイドすることができ、一つのドローア（例えば、Ｄ１）の両側にそれぞれ配置できる。よって、各ドローアＤの荷重は少なくとも一対のドローアガイド４０ａによって支持できる。いくつかの実施例において、三つのドローアガイド４０ａが三つのドローアＤ１、Ｄ２、Ｄ３に合わせて貯蔵室Ｓ３の一側面Ｓ（ｓ）に配置できる。図４には示されていないが、三つのドローアガイド４０ａは貯蔵室Ｓ３の他側面に配置できる。
【００７０】
各ドローアＤに対して提供された一対のドローアガイド４０ａは貯蔵室Ｓ３の一側面Ｓ（ｓ）を規定する内側面に配置された第１ドローアガイド４０ａＬ、及び貯蔵室Ｓ３の他側面（例えば、垂直仕切り２０の一側面）に配置された第２ドローアガイド４０ａ（Ｒ）を含むことができる（図６参照）。
【００７１】
ドローアＤはドローアガイド４０ａによって静的機械的平衡（ｓｔａｔｉｃ  ｍｅｃｈａｎｉｃａｌ  ｅｑｕｉｌｉｂｒｉｕｍ）状態で支持できる。すなわち、ドローアＤの総荷重はドローアガイド４０ａによって支持でき、ドローアＤは、ドローアＤに別の外力が作用しない限り、ドローアガイド４０ａ上に静止状態に維持できる。この構造で、ドローアＤの総負荷はドローアガイド４０ａによって実質的に支持でき、後方フレーム５２はドローアＤの荷重を支えない無負荷支持要素となることができる。
【００７２】
ドローアガイド４０ａはレール又はローラーを含む多様な形態に構成できる。例えば、図６及び図７を参照すると、ドローアガイド４０ａは、貯蔵室Ｓ３の側面Ｓ（ｓ）に固定されて前後方に伸びる固定レール４１、及び固定レール４１によってドローアＤと一緒に移動するように構成された可動レール４２、４３を含むことができる。可動レール４２、４３は必ずしも単数で提供される必要はなく、いくつかの実施例では二つの可動レール４２、４３が提供できる。いくつかの実施例において、第１可動レール４２はドローアＤ１に結合された状態で第２可動レール４３とかみ合うことができ、第２可動レール４３は固定レール４１とかみ合うことができる。
【００７３】
第１可動レール４２はドローアＤ１が元位置（ドア３ｃが閉まった位置）から特定距離だけ移動するうちに第２可動レール４３によって動くことができ、第２可動レール４３は第１可動レール４２が前記特定距離を超えて前方にさらに移動するとき固定レール４１によって移動することができる。いくつかの実施例において、ドローアガイドの構造は違ってもよい。例えば、ドローアガイドは、貯蔵室Ｓの側面Ｓ（ｓ）に固定された固定レール、及びドローアＤに対して回転可能に提供されてドローアＤの移動中に固定レールによって転がるローラーを含むことができる。
【００７４】
図７を参照すると、固定レール４１は金属板が複数回折り曲げられた形状を有することができる。固定レール４１は、貯蔵室Ｓ３の側面Ｓ（ｓ）に平行に、前後方に縦方向に伸びる第１ストリップ部４１１、第１ストリップ部４１１の下端部からドローアＤ１まで水平に伸びる第２ストリップ部４１２、及び第２ストリップ部４１２の一端部に形成され、第２可動レール４３の下端部４３１が内部に挿入できるようにするポケット部４１３を含むことができる。
【００７５】
ポケット部４１３は上側面の開放した“Ｕ”形ポケットを形成することができ、第２可動レール４３の下端部４３１はポケットの入口を通じて挿入できる。第１可動レール４３はポケット部４１３に対応する断面を有するように形成でき、ポケットの入口がその下面に位置する逆“Ｕ”形を有することができる。第２可動レール４３の上端部４３２は入口を通じてポケット内に挿入できる。
【００７６】
第１可動レール４２上には上方に突出するフック４２２が形成できる。また、ドローアＤ１がドローアガイド４０ａによって支持されるようにドローアＤ１及び第１可動レール４２を連結するために、ドローア連結部材３２１が配置できる。いくつかの実施例において、ドローア連結部材３２１はドローアＤ１と一体に形成できる。他の実施例において、ドローア連結部材３２１はドローアＤ１から分離された部品として形成でき、ドローアＤ１に結合できる。
【００７７】
ドローア連結部材３２１は第１可動レール４２のフック４２２に結合された水平リブ３２１ａを含むことができる。水平リブ３２１ａはドローアＤ１の外側面から横方向に水平に突出することができ、前後方に縦方向に伸びることができる。
【００７８】
フック４２２は、第１可動レール４２の上側面４２１から上方に突出する第１部４２２ａ及び第１部４２２ａの上端部から前方に伸びる第２部４２２ｂを含むことができる。水平リブ３２１ａには適切な形態を有する結合孔が形成でき、フック４２２は下側から上側に前記結合孔を通過することができる。いくつかの実施例において、ドローアＤ１は水平リブ３２１ａとフック４２２間の前述した結合によって第１可動レール４２と一緒に移動することができる。例えば、またドローアＤ１及び第１可動レール４２は、両者が一体に動ける限り、多様な他の方法で互いに結合可能である。
【００７９】
いくつかの実施例において、ドローアＤ１と第１可動レール４２の間の結合は別個の工具なしに使用者によって易しく分離可能な構造となることができる。すなわち、ドローアＤ１と第１可動レール４２間の結合は工具によって分離しない限り結合状態が維持されるネジ又はボルトによる結合のような構造ではなくてもよいが、使用者の手動作によってだけ結合状態が解除可能な構造となってもよい。いくつかの実施例において、使用者はいつでもドローアＤ１を適切に動かすことで第１可動レール４２のフック４２２を水平リブ３２１ａに形成された結合孔内に挿入するとかフック４２２を結合孔から分離することができる。よって、第１可動レール４２から分離されたドローアＤ１は貯蔵室Ｓ３から取り出されることができる。
【００８０】
いくつかの実施例において、ドローア連結部材３２１は水平リブ３２１ａの一端部から下方に伸びる垂直リブ３２１ｂをさらに含むことができる。垂直リブ３２１ｂは第１可動レール４２の第１側面部４２３と接触することができ、いくつかの実施例では、垂直リブ３２１ｂを第１側面部４２３に結合するためにネジ又はボルト（以下、“結合部材”と言う）をさらに含むことができる。以下、第１可動レール４２の第１側面部４２３は第１可動レール４２の偏平な上面部４２１の両側から下方に伸びる二つの側面部４２３、４２４の一つであってもよく、他の側面部４２４より第１ストリップ部４１１にもっと近接することができる。
【００８１】
第２ストリップ部４１２は逆“Ｖ”形を有するノッチ４１２ａを含むことができ、ノッチ４１２ａ内には後述するブラケット１４のブラケット１４の下側支持突起１４３ａが挿入できる。ノッチ４１２ａは第２ストリップ部４１２がポケット部４１３と会う部分に形成できる。
【００８２】
ブラケット１４はドローアガイド４０ａを設置するために貯蔵室Ｓ３の側面Ｓ（ｓ）上に配置できる。ブラケット１４は貯蔵室Ｓ３の側面Ｓ（ｓ）からドローアＤ１まで突出するように構成でき、前後方に縦方向に伸びることができる。
【００８３】
ブラケット１４にはレール取付溝１４ａが前後方に縦方向に形成でき、固定レール４１はレール取付溝１４ａ内に設置できる。レール取付溝１４ａは、貯蔵室Ｓ３の側面Ｓ（ｓ）に実質的に平行で、前後方に縦方向に伸びる垂直面１４１、及びそれぞれ垂直面１４１の上端部及び下端部から水平に突出して前後方に縦方向に伸びる上側水平面１４２及び下側水平面１４３によって規定できる。
【００８４】
レール取付溝１４ａ内には垂直面１４１を切断することによって形成された弾性支持タップが提供できる。弾性支持タップ１４４は垂直面に対して弾性的にピボット動作することができ、固定レール４１の第１ストリップ部４１１によって横方向に押圧できる。
【００８５】
固定レール４１がレール取付溝１４ａ内に取り付けられたとき、弾性支持タップ１４４は固定レール４１によって圧縮状態、例えば変形状態で維持できる。この変形は弾性を有することができ、外力が除去されたとき（例えば、固定レール４１が分離されたとき）弾性支持タップ１４４を元の形態に復帰させることができる。
【００８６】
ブラケット１４はレール取付溝１４ａの上側水平面１４２から下方に突出する上側支持突起１４２ａ及び／又は下側水平面１４３から上方に突出する下側支持突起１４３ａをさらに含むことができる。
【００８７】
固定レール４１の第１ストリップ部４１１がレール取付溝１４ａ内に挿入されたとき、第１ストリップ部４１１の上端部は垂直面１４１と上側支持突起１４２ａの間に位置してもよい。特に、垂直面１４１と上側支持突起１４２ａの間に第１ストリップ部４１１の厚さと対応するようにギャップが形成できるので、第１ストリップ部４１１の上端部の横方向運動は上側支持突起１４２ａによって停止され、よって第１ストリップ部４１１の上端部がギャップから分離されることを防止することができる。
【００８８】
第２ストリップ部４１２は下側水平面１４３上に着座できる。下側水平面１４３は上側水平面１４２より大きな幅を有するように形成でき、下側支持突起１４３ａは下側水平面１４３と上側水平面１４２の間の幅差に対応する距離ｇだけ上側支持突起１４２ａよりドローアＤ１にもっと近接した位置に形成できる。
【００８９】
下側支持突起１４３ａは固定レール４１のノッチ４１２ａ内に挿入できる。下側支持突起１４３ａの横方向運動はノッチ４１２ａによって防止することができる。固定レール４１の下端部は下側支持突起１４３ａとノッチ４１２ａ間の結合力によってブラケット１４に強く結合できる。
【００９０】
固定レール４１がブラケット１４上に取り付けられたとき、第１ストリップ部４１１は弾性支持タップ１４４によって横方向に（例えば、ドローアＤ１と対向する方向）押圧されるから、第１ストリップ部４１１の上端部は上側支持突起１４２ａに密着することができる。いくつかの実施例において、下側支持突起１４３ａはノッチ４１２ａ内に挿入されるから、固定レール４１は搖れなしに安定に支持できる。
【００９１】
ブラケット１４は後述する復帰ユニット８０が設置される復帰ユニット設置板１４５をさらに含むことができる。復帰ユニット設置板１４５は前後方向に縦方向に伸びる水平面を有することができ、復帰ユニット８０は水平面上に取り付けられることができる。復帰ユニット設置板１４５はレール取付溝１４ａの下側に配置できる。復帰ユニット８０は結合部材によって復帰ユニット設置板１４５に結合できる。
【００９２】
前記説明で、レール取付溝１４ａ及び復帰ユニット設置板１４５はブラケット１４上に形成されるものとして説明し、ブラケット１４は貯蔵室Ｓ３の側面に結合されるものとして説明した。例えば、ブラケット１４は垂直仕切り２０又は貯蔵室Ｓ３の側面Ｓ（ｓ）を形成するキャビネット１０の内側面１１と一体に形成されることもできる。
【００９３】
図３を参照すると、引出ユニット５０ａはドア３ｃの開閉動作に連動して移動することができる。引出ユニット５０ａはドア３ｃが開くうちに前方に移動することができ、ドア３ｃが閉まるうちに後方に移動することができる。ドローアＤ１、Ｄ２、Ｄ３は引出ユニット５０ａの動作によって移動することができる。具体的に、引出ユニット５０ａはドア３ｃが開くうちにドローアＤ１、Ｄ２、Ｄ３を前方に移動させることができる。図３で、ドア３ｃが閉まったとき、引出ユニット５０ａ及びドローアＤ１、Ｄ２、Ｄ３の位置は点線で指示されている。この状態で、ドア３ｃが開ければ引出ユニット５０ａが前方に移動するうちにドローアＤ１、Ｄ２、Ｄ３が前方に押圧できる。この場合、引出ユニット５０ａ及びドローアＤの位置は実線で示されている。
【００９４】
ドア３ｃが開いて貯蔵室Ｓ３の前面Ｓ（ｆ）が開放状態にあるとき、ドローアＤ１、Ｄ２、Ｄ３は初期貯蔵位置（ドア３ｃが閉まったときのドローアＤ１、Ｄ２、Ｄ３の位置、以下“原位置”と言う）から特定距離だけ前方側に位置してもよい。よって、使用者の手が易しくドローアＤ１、Ｄ２、Ｄ３に到達することができるから、使用者が食べ物をドローアＤ１、Ｄ２、Ｄ３から取り出すとかドローアＤ１、Ｄ２、Ｄ３に入れることがもっと易しくなることができる。この便利性は深い貯蔵室Ｓ３を有する大型冷蔵庫の場合にもっと有利である。
【００９５】
図４、図８及び図９ａ〜図９ｃを参照すると、引出ユニット５０ａは、ドローアＤ３の下側に配置されたベース部５１、及びベース部５１から上方に伸びてドローアＤ１、Ｄ２、Ｄ３の後側に配置された後方フレーム５２を含むことができる。後方フレーム５２はドローアＤ１、Ｄ２、Ｄ３と貯蔵室Ｓ３の上面Ｓ（ｕ）の間を通過することができ、貯蔵室Ｓ３の上面Ｓ（ｕ）側に伸びてドローアＤ１、Ｄ２、Ｄ３の少なくとも一つに対応する高さに到達することができる。以下、貯蔵室Ｓ３内に配置された３個のドローアＤ１、Ｄ２、Ｄ３の全ては後方フレーム５２によって押圧されて移動するものとして説明されるが、いくつかの実施例ではドローアＤ１、Ｄ２、Ｄ３の最下側に配置されたドローアＤ３はベース部５１によって支持できる。いくつかの実施例において、ドローアＤ３を支持するドローアガイド４０ａは省略できる。
【００９６】
冷蔵庫１ａは引出ユニット５０ａを前後方にガイドして移動させる引出ユニットガイド６０を含むことができる。引出ユニットガイド６０は貯蔵室Ｓ３の側面Ｓ（ｓ）とベース部５１の間に配置でき、ベース部５１の両側にそれぞれ配置できる。引出ユニットガイド６０は、貯蔵室Ｓ３の側面Ｓ（ｓ）の一つとベース部５１に配置されたレール６１、及び貯蔵室Ｓ３の側面Ｓ（ｓ）の他の一つとベース部５１に配置され、ベース部５１が動くときにレール６１と接触することによって回転するローラー６２を含むことができる。いくつかの実施例において、引出ユニット５０ａは、貯蔵室Ｓ３の側面Ｓ（ｓ）に固定されて前後方に縦方向に伸びたレール６１、及び側面部５１２、５１３（図９ｂ参照）上に回転可能に配置され、引出ユニット５０ａの移動中にレール６１によって転がって移動するローラー６２を含むように構成できる。例えば、ローラー６２の代わりに、ベース部５１に対してレール６１とかみ合う可動レールが提供されることもできる。
【００９７】
その上、ローラー６２は貯蔵室Ｓ３の側面Ｓ（ｓ）に固定でき、レール６１はベース部５１の側面部５１２、５１３上に配置され、レール６１がローラー６２に支持された状態で動くようにすることができる。
【００９８】
また、引出ユニット６０は貯蔵室Ｓ３の底面Ｓ（ｂ）とベース部５１の底部５１１（図９ｂ参照）の間に配置できる。例えば、貯蔵室Ｓ３の底面Ｓ（ｂ）上には固定レールが配置され、ベース部５１の底部５１１上には可動レールが配置できる。可動レールは固定レールとかみ合うように構成され、ベース部５１とともに移動するうちに固定レールに沿って移動することができる。
【００９９】
図９ｂを参照すると、ベース部５１は水平した底部５１１を含むように構成でき、底部５１１の上面は上方に向かい、上面の反対側に対応する下面は貯蔵室Ｓ３の底面Ｓ（ｂ）と対向することができる。いくつかの実施例において、複数のドローアＤ１、Ｄ２、Ｄ３が垂直方向に配置されたとき、ベース部５１は最下側に位置するドローアＤ３の下側に配置できる。リンク７０はドア３ｃとベース部５１を連結することができる。リンク７０の一端部はドア３ｃにピボット動作可能に連結でき、リンク７０の他端部はベース部５１にピボット動作可能に連結できる。リンク７０は後でより詳細に説明する。
【０１００】
図９ａ〜図９ｃを参照すると、ベース部５１は開放した前面及び上面を有することができる。具体的に、ベース部５１は、水平な底部５１１、底部５１１の両側端部からそれぞれ上方に伸びる一対の側面部５１２、５１３、及び底部５１１の後方端部から上方に伸びて一対の側面部５１２、５１３を互いに連結する後面部５１４を含むことができる。
【０１０１】
後方フレーム５２は、ベース部５１から上方に伸び、貯蔵室Ｓ３の幅方向に互いに離隔した一対の垂直バー５２０ａ、５２０ｂを含むことができる。しかし、これに限定されず、後方フレーム５２は単一垂直面構造に形成できる。
【０１０２】
垂直バー５２０ａ、５２０ｂは後面部５１４から上方に伸びることができる。以下、一対の垂直バー５２０ａ、５２０ｂを区別する必要がある場合、それぞれの垂直バーは第１垂直バー５２０ａ及び第２垂直バー５２０ｂと表現する。
【０１０３】
第１垂直バー５２０ａ及び第２垂直バー５２０ｂは必ずしも別個の部材で形成される必要はなく、長さが幅より長いバンド又はビームの形状を有する単一フレーム部材５２０で一体に形成できる。すなわち、フレーム部材５２０において、第１垂直バー５２０ａを構成する区間５２１〜５２４と第２垂直バー５２０ｂを構成する区間は互いに平行であり、実質的に同じ形状を有することができる。両区間は連結部５２０ｃによって互いに連結できる。
【０１０４】
第１垂直バー５２０ａと第２垂直バー５２０ｂが互いに離隔しているから、冷気が第１垂直バー５２０ａと第２垂直バー５２０ｂの間を通過することができる。したがって、貯蔵室Ｓ３の深い空間でも冷気が円滑に循環することができる。特に、冷気を収容するために貯蔵室Ｓ３の後面Ｓ（ｒ）上に排出口が形成された場合、排出口から排出された冷気は貯蔵室Ｓ３内に均一に分散されることができる。
【０１０５】
連結部５２０ｃはベース部５１の下側に配置できる。連結部５２０ｃは底部５１１を支持することができ、結合部材によって底部５１１に結合できる。連結部５２０ｃは、第１垂直バー５２０ａの下端部から前方側に伸びる区間５４５ａ、第２垂直バー５２０ｂの下端部から前方側に伸びる区間５４５ｂ、及び両区間５４５ａ、５４５ｂの間で貯蔵室Ｓ３の幅方向に伸びる区間５４６を含むことができる。区間５４６は区間５４５ａ及び区間５４５ｂに直角であってもよい。
【０１０６】
フレーム部材５２０は射出成形によって合成樹脂で形成されるとか塑性加工によって金属で形成できる。垂直バー５２０の前面及びベース部の外側面（例えば、後面部５１４の後面又は底部５１１の下面）は結合部材５６によって互いに結合できる。
【０１０７】
垂直バー５２０ａ、５２０ｂの下端部はベース部５１の後面部５１４の後面上に配置できる。下端部及び後面部５１４は垂直バー５２０ａ、５２０ｂの長手方向に沿って離隔した二つ以上の地点で結合部材５６によって結合できる。
【０１０８】
一対の垂直バー５２０ａ、５２０ｂは中心線Ｍ（図９ｂ参照）、例えばベース部５１の両側面部５１２、５１３から等距離に位置する地点を連結する線に対して対称的に配置できる。
【０１０９】
図９ｃを参照すると、ベース部５１の後面部５１４はベース部５１の底部５１１から後方側に上方に傾くことができる。垂直バー５２０ａ、５２０ｂの下端部はベース部５１の後面部５１４の後面上に位置してもよい。垂直バー５２０ａ、５２０ｂは、下端部から後面部５１４の傾斜に一致して傾きながら上方に伸びる第１傾斜部５２１、及び第１傾斜部５２１から複数のドローアＤ１、Ｄ２、Ｄ３の最下側ドローアＤ３に位置するドローアＤ３に少なくとも対応する高さ（例えば、少なくともドローアＤ３と接触可能な高さ）まで垂直に伸びる第１垂直部５２２を含むことができる。引出ユニット５０ａが移動するうち、ドローアＤ３の後面は第１垂直部５２２と接触することができる。ドローアＤ３はベース部５１より遠い後方領域を占有するように構成でき、よって第１傾斜部５２１はベース部５１から後方側に傾くことができる。また、第１垂直部５２２は前述したように傾く第１傾斜部５２１から上方に伸びることができる。よって、ドローアＤ３の後方部がベース部５１より遠い後方側に位置しても第１垂直部５２２はドローアＤ３と接触することができる。
【０１１０】
また、垂直バー５２０ａ、５２０ｂは、第１垂直部５２２から後方側に上方に傾く第２傾斜部５２３、及び第２傾斜部５２３から少なくともドローアＤ３の上側に配置されたドローアＤ２に対応する高さまで伸びる第２垂直部５２４をさらに含むことができる。いくつかの実施例において、３個のドローアＤ１、Ｄ２、Ｄ３が配置されるから、第２垂直部５２４はドローアＤ１と接触可能な高さまで伸びることができる。図３及び図４に示すように、ドローアＤ２、Ｄ３はドローアＤ１より遠く後方側を占有するように構成でき、第２垂直部５２４と接触することができる。
【０１１１】
ベース部５１の後面部５１４は側面部５１２、５１３より高い高さまで伸びることができ、側面部５１２、５１３より高い領域でも垂直バー５２０ａ、５２０ｂと接触することができる。すなわち、垂直バー５２０ａ、５２０ｂと接触する部位が大きくなり、よって後面部５１４を側面部５１２、５１３より高い高さまで形成することによって垂直バー５２０ａ、５２０ｂは前記部位が大きくなる分だけ安定に支持できる。
【０１１２】
特に、垂直バー５２０ａ、５２０ｂはベース部５１の後面部５１４に結合でき、垂直バー５２０ａ、５２０ｂの第１傾斜部５２１は結合部材５６によって後面部５１４に結合できる。したがって、垂直バー５２０ａ、５２０ｂが後面部５１４に結合される構造では、後面部５１４が垂直バー５２０ａ、５２０ｂの下端部を強く固定するから、ドローアＤ１、Ｄ２、Ｄ３を前方に押圧する過程で引出ユニット５０ａがドローアＤ１、Ｄ２、Ｄ３から作用する反動力（例えば、ドローアＤ１、Ｄ２、Ｄ３の慣性による反発力）が垂直バー５２０ａ、５２０ｂに作用しても垂直バー５２０ａ、５２０ｂは後方側に易しくしなわない。
【０１１３】
また、両垂直バー５２０ａ、５２０ｂは連結部５２０ｃによって連結され、連結部５２０ｃはベース部５１の底部５１１の下面に密着するとか結合する部５４５ａ、５４５ｂ、５４６を含む“Ｕ”形フレーム構造を有することができる。よって、垂直バー５２０ａ、５２０ｂはドローアＤ１、Ｄ２、Ｄ３から印加される反動力によって後方にしなうことが防止できる。
【０１１４】
また、第１垂直バー５２０ａ及び第２垂直バー５２０ｂは互いに分離されずに連結部５２０ｃによって一体に連結されるから、両垂直バー５２０ａ、５２０ｂにそれぞれ異なる力が印加されても、この力は連結部５２０ｃを介して分散できる。したがって、実質的に均一な力が垂直バー５２０ａ、５２０ｂに作用することができるので、後方フレーム５２が歪むことが防止される。
【０１１５】
引出ユニット５０ａはベース部５１の上側の第１垂直バー５２０ａ及び第２垂直バー５２０ｂを連結する連結バー５３をさらに含むことができる。連結バー５３は第１及び第２垂直バー５２０ａ、５２０ｂを構造的に安定化させ、特に垂直バー５２０ａ、５２０ｂが互いにに対して広がることを防止することができる。また、この構造では、引出ユニット５０ａがドローアＤ１、Ｄ２、Ｄ３を押圧する過程でドローアＤ１、Ｄ２、Ｄ３から垂直バー５２０ａ、５２０ｂに作用する力が違っても、一垂直バー（例えば、５２０ａ）が他の垂直バー（例えば、５２０ｂ）より後方にもっとしなうことが防止できる。
【０１１６】
連結バー５３は第１垂直バー５２０ａ及び第２垂直バー５２０ｂの上側部を互いに連結することができる。連結バー５３は垂直バー５２０ａ、５２０ｂの第２垂直部５２４に結合でき、第２垂直部５２４の下端部（例えば、第２傾斜部５２３との連結部）より上端部に近接した位置に結合できる。
【０１１７】
連結バー５３は上下側に複数で配置できる（図１１の連結バー５３ａ、５３ｂ参照）。また、連結バー５３は複数のドローアＤ１、Ｄ２、Ｄ３の位置と一致するように配置でき、引出ユニット５０ａが前方に移動するときドローアＤの後面部と接触することができる。例えば、第１連結バー５３ａ及び第２連結バー５３ｂはそれぞれ第１ドローアＤ１及び第３ドローアＤ３と接触することができ、いくつかの実施例では第２ドローアＤ２と接触する他の連結バーがさらに提供できる。
【０１１８】
図９ａ及び図９ｃを参照すると、引出ユニット５０ａは、垂直バー５２０ａ、５２０ｂに対して前方に伸び、アームガイド９１に沿ってガイドされるアーム５３２、５３３を含むことができる。アーム５３２、５３３は垂直バー５２０ａ、５２０ｂから伸びることができるが、連結バー５３と一体に形成できる。
【０１１９】
連結バー５３は、貯蔵室Ｓ３の幅方向に縦方向に伸びて一対の垂直バー５２０ａ、５２０ｂを連結する連結部５３１を含むことができる。連結部５３１は一対の垂直バー５２０ａ、５２０ｂに結合でき、連結部５３１の両端部はそれぞれ垂直バー５２０ａ、５２０ｂから貯蔵室Ｓ３の側面Ｓ（ｓ）まで突出することができる。アーム５３２、５３３は連結バー５３１の両端部から前方に伸び、ドローアＤ１と貯蔵室Ｓ１の側面Ｓ（ｓ）の間に配置できる。両アーム５３２、５３３はそれぞれローラー９２を含むことができ、ローラー９２は引出ユニット５０ａが移動するうちアームガイド９１によって転がることができる。
【０１２０】
連結部５３１は弾性突起５３６を含むことができる。弾性突起５３６は特定の弾性を有する材料（例えば、ゴム）で形成できる。弾性突起５３６はドローアＤ１と接触する連結部の前面に配置でき、引出ユニット５０ａが前方に移動するうちにドローアＤ１と接触することができる。ドア３ｃが開き、それによって引出ユニット５０ａが前方に移動することにより、弾性突起５３６はドローアＤ１と接触して衝撃を軽減させ、その衝撃による騷音を減らす。
【０１２１】
図４及び図５を参照すると、アームガイド９１は貯蔵室Ｓ３の側面Ｓ（ｓ）上に配置できる。アームガイド９１は最上側に位置するドローアＤ１を支持するドローアガイド４０ａの上側に配置できる。
【０１２２】
アームガイド９１は、ローラー９２と接触し、ローラー９２の移動路に沿って、例えば貯蔵室Ｓ３の前後方に縦方向に伸びるローラーガイド面９１ｂを含むことができる。ローラーガイド面９１ｂは水平面に形成できる。
【０１２３】
図５に示すようで、アームガイドの断面はドローアＤ側に開放した“Ｕ”形ガイド溝９１ａを形成することができ、ローラー９２はガイド溝９１ａ内のローラーガイド面９１ｂによって支持できる。ガイド溝９１ａは、ローラーガイド面９１ｂの上側に配置され、ローラーガイド面９１ｂに平行な上側面９１ｃをさらに含むことができる。ローラーガイド面９１ｂ及び上側面９１ｃはローラー９２がローラーガイド面９１ｂに沿って転がるうちに上側面９１ｃと接触しないようにほぼローラー９２の直径だけ互いに離隔することができる。
【０１２４】
引出ユニット５０ａが移動するうち、ドローアＤ１、Ｄ２、Ｄ３から後方フレーム５２に作用する反動力は垂直バー５２０ａ、５２０ｂが連結部でベース部５１に対して後方にピボット動作するように（例えば、垂直バー５２０ａ、５２０ｂが後方にしなうように）する要因として作用することができる。いくつかの実施例において、ローラー９２は垂直バー５２０ａ、５２０ｂが撓おうとする傾向のため下方に移動しやすいが、ローラーガイド面９１ｂはローラーの移動を抑制し、それによって垂直バー５２０ａ、５２０ｂが後方にしなうことを防止する。
【０１２５】
引出ユニット５０ａをドア３ｃの開閉動作に連動して移動させるため、ドア３ｃはリンク７０を介してベース部５１に連結できる。いくつかの実施例において、ベース部５１も電気的に駆動されるモーター又はアクチュエーターなどの駆動ユニットから提供される動力によって移動することができる。例えば、モーターが駆動ユニットとして提供される場合、ベース部５１はモーターのトルクを直線運動に変換する動力変換ユニットによって移動することができ、動力変換ユニットの例としてはラックとピニオン及びクランクを含むことができる。いくつかの実施例において、駆動ユニットはドア３ｃの開閉動作によって動作することができる。言い替えれば、ドア３ｃが開くとき、動力変換ユニットが引出ユニット５０ａを前方に移動させるように駆動ユニットが動作することができる。また、ドア３ｃが閉まるときは動力変換ユニットが引出ユニット５０ａを後方に移動させるように駆動ユニットが動作することができる。
【０１２６】
いくつかの実施例において、引出ユニット５０ａはドローアＤ１、Ｄ２、Ｄ３から分離された部材であってもよい。すなわち、ドローアＤは後方フレーム５２に結合されない。よって、ドア３ｃが開くとき、ドローアＤ１、Ｄ２、Ｄ３は後方フレーム５２との接触によって前方に移動することができるが、後方フレーム５２とドローアＤ１、Ｄ２、Ｄ３間の接触はドローアＤ１、Ｄ２、Ｄ３の引出しにおいて一時的なものであり得る。特に、ドローアＤ１、Ｄ２、Ｄ３がドローアガイド４０ａによって平衡状態で（すなわち、静的機械的平衡状態）支持されるとき、後方フレーム５２とドローアＤ１、Ｄ２、Ｄ３間の一時的な接触にもかかわらず、後方フレーム５２はドローアＤ１、Ｄ２、Ｄ３を押して移動させる役目のみをし、ドローアＤ１、Ｄ２、Ｄ３の荷重は支えない。この点は後方フレーム５２が普段にドローアＤ１、Ｄ２、Ｄ３に結合される実施例の場合にも同様である。
【０１２７】
言い替えれば、ドローアＤ１、Ｄ２、Ｄ３と引出ユニット５０ａが互いに分離されるとか結合されていない構造において、ドローアＤ１、Ｄ２、Ｄ３の移動は引出ユニット５０ａとドローアＤ１、Ｄ２、Ｄ３間の分離可能な接触によってなされることができる。すなわち、引出ユニット５０ａイドオ３ｃに連動して前方に移動する過程で後方フレーム５２がドローアＤ１、Ｄ２、Ｄ３と接触するとき、ドローアＤ１、Ｄ２、Ｄ３は後方フレーム５２によって押圧されて移動することができるが、ドローアＤ１、Ｄ２、Ｄ３と後方フレーム５２間の接触は必要によって分離できる。例えば、ドローアＤ１、Ｄ２、Ｄ３が後方フレーム５２によって押されて移動するうちにドア３ｃの回転が停止して閉まるとき、ドローアＤ１、Ｄ２、Ｄ３と後方フレーム５２間の接触は少なくとも一時的に解除できる。
【０１２８】
いくつかの実施例において、引出ユニット（特に、後方フレーム５２）も普段にドローアＤ１、Ｄ２、Ｄ３との結合を維持することができる。いくつかの実施例において、ドローアＤ１、Ｄ２、Ｄ３がドローアガイド４０ａによって平衡状態で支持される限り、ドローアＤ１、Ｄ２、Ｄ３の荷重は引出ユニット５０ａに印加されない。いくつかの実施例では、ドア３ｃが閉まるとき、引出ユニット５０ａがドローアＤ１、Ｄ２、Ｄ３を後方に移動させることができる利点がある。
【０１２９】
図１０ａ〜図１０ｃは実例のベース部５１の下面部を示す。図１０ａ〜図１０ｃを参照すると、リンク７０はドア３ｃにピボット方式で連結された前方端部７１及びベース部５１にピボット方式で連結された後方端部７２を含むことができる。すなわち、前方端部７１はドア３ｃにピボット方式で結合されて第１ピボットジョイントＪ１を形成することができる。後方端部７２はベース部５１にピボット方式で結合されて第２ピボットジョイントＪ２を形成することができる。
【０１３０】
第１ピボットジョイントＪ１はキャビネット１０に対して回転中心、例えばドア３ｃの回転軸Ｃから特定距離ｒだけ離隔することができる。よって、ドア３ｃがピボット動作するとき、第１ピボットジョイントＪ１は中心としてのドア３ｃの回転軸Ｃに対して半径ｒを有する円周に沿って動くことができる。ピボットジョイントＪ１の位置が円周上で変化することによって、第２ピボットジョイントＪ２が移動してベース部５１が移動することができる。
【０１３１】
第１ピボットジョイントＪ１及び第２ピボットジョイントＪ２はベース部５１の両側に配置された引出ユニットガイド６０から等しく離隔したベースラインＬを基準に互いに反対側に位置してもよい。いくつかの実施例において、両引出ユニットガイド６０はベース部５１に対して対称的に配置されるから、ベースラインＬはベース部５１の中心線、例えばベース部５１の両側面部５１２、５１３から等しく離隔した線Ｍ（図９ｂ参照）と実質的に同一であり得る。
【０１３２】
第２ピボットジョイントＪ２はベース部５１に対して位置が固定できるが、いくつかの実施例ではドア３ｃがピボット動作する全区間のうち特定区間によってベース部５１に対して位置が変わるように構成できる。例えば、ベース部５１には前後方に縦方向に伸びるスリット５１７が形成でき、第２ピボットジョイントＪ２はスリット５１７に沿って移動するように構成できる。このために、リンク７０の後方端部７２には結合部材が結合される結合孔が形成でき、結合部材がスリット５１７を通じて結合孔に結合できる。すなわち、第２ピボットジョイントＪ２はドア３ｃのピボット動作によってスリット５１７に沿って動き、ベース部５１に対してピボット動作することができる可動ピボットジョイントであってもよい。スリット５１７は第２ピボットジョイントＪ２がベース部５１に対して動けるように特定の長さを有することができ、結合部材はスリット５１７に沿って動くことができる。
【０１３３】
リンク７０の後方端部７２はベース部５１０の下面上に位置することができ、ベース部５１の上面上にはワッシャ７８（図４参照）が配置できる。結合部材はスリット５１７及び結合孔を通じてワッシャ７８に結合できる。
【０１３４】
ドア３ｃが閉まるとき、リンク７０の後方端部７２は初期位置（図１０ａ参照）に位置してもよい。初期位置で、リンク７０の後方端部７２はスリット５１７の前方端部から特定距離だけ離隔することができ、スリット５１７の後方端部と接触することができる。
【０１３５】
閉まったドア３ｃが開き始めるとき、リンク７０の後方端部７２はスリット５１７に沿って移動することができ、ベース部５１はドア３ｃの開放角が設定の引出開始角θに到達するまで静止状態で維持できる。すなわち、ドア３ｃが引出開始角θ（図１０ｂ参照）に到達するまでドローアＤ１、Ｄ２、Ｄ３が移動しないことがあり得る。
【０１３６】
引出開始角θはリンク７０の後方端部７２又は第２ピボットジョイントＪ２が初期位置（ドア３ｃが閉まったときの位置）からスリット５１７の前方端部まで動く地点に対応する開放角であってもよい。ドア３ｃの開放角が引出開始角を超えて徐々に増加するに従い、第２ピボットジョイントＪ２はベース部５１と一緒に動くことができ、ドローアＤ１、Ｄ２、Ｄ３は前方に移動することができる（例えば、引き出されることができる）。第２ピボットジョイントＪ２が初期位置からスリット５１７の前方端部まで動くうち、ドア３ｃはピボット動作するが、ドローアＤ１、Ｄ２、Ｄ３又はベース部５１は動かないことがあり得る。よって、ドア３ｃが閉まった状態から引出開始角θに到達するまでドア３ｃがピボット動作する区間は引出遅延区間と定義できる。
【０１３７】
引出遅延区間はドローアＤ１、Ｄ２、Ｄ３がドア３ｃの後面部又はドア３ｃの後面部に取り付けられた構成部品（例えば、ドア貯蔵部８ａ、８ｂ、８ｃ）と衝突することを防止するために必要であり得る。すなわち、引出遅延区間がない場合、ドア３ｃが開き始めれば、ドローアＤ１、Ｄ２、Ｄ３が直ぐ動くことができる。いくつかの実施例において、ドローアＤ１、Ｄ２、Ｄ３はドア３ｃの後面部又はドローアＤ１、Ｄ２、Ｄ３の移動路から外れた後面部に取り付けられたドア貯蔵部８ａ、８ｂ、８ｃの前に前方に動くことができるから、ドローアＤ１、Ｄ２、Ｄ３はドア３ｃの後面部又はそこに取り付けられた突出部と衝突し得る。
【０１３８】
追加として、冷蔵庫１ａは貯蔵室ＲＣ、ＦＣの気密を維持するためにドア３ａ、３ｂ、３ｃ、３ｄの後面に配置されたガスケット（図示せず）を含むことができる。使用者が閉まったドア３ｃを開けるとき、ドア３ｃが閉まった状態から引出開始角θに到達するまで引出ユニット５０ａの移動が始まらないから、使用者から印加された力はガスケットをキャビネット１０から分離させるのにだけ使われる。
【０１３９】
引出開始角θは９０度以下であってもよく、いくつかの実施例では約７０度〜約９０度の範囲であってもよい。いくつかの実施例において、ドア３ｃが引出開始角から全く開くまでベース部５１が移動する距離を引出距離と定義するとき、引出距離は約１０ｃｍに設定できる。
【０１４０】
ドア３ｃが引出開始角θまでピボット動作した後、リンク７０の後方端部７２はスリット５１７の前方端部に位置することができる。この時、ベース部５１はドローアＤ１、Ｄ２、Ｄ３と一緒に動くことができる。
【０１４１】
ドローアＤ１、Ｄ２、Ｄ３が引出距離だけ移動したとき、ドローアＤ１、Ｄ２、Ｄ３は貯蔵室Ｓ３の前面Ｓ（ｆ）と交差しないことができる。いくつかの実施例において、ドローアガイド４０ａによって許されるドローアＤ１、Ｄ２、Ｄ３の可動範囲はドローアＤ１、Ｄ２、Ｄ３が貯蔵室Ｓ３の前面Ｓ（ｆ）と交差しないように制限されない。すなわち、ドローアＤ１、Ｄ２、Ｄ３はドア３ｃが全く開いたとき前面Ｓ（ｆ）と交差しないように位置してもよいが、これはドローアＤ１、Ｄ２、Ｄ３が引出ユニット５０ａによって自動で引き出される最終位置を意味する。したがって、使用者はドローアＤ１、Ｄ２、Ｄ３を手動で、例えば使用者の努力でもっと引き出すことができる。このために、ドローアガイド４０ａは引出ユニット５０ａによるドローアＤ１、Ｄ２、Ｄ３の自動引出距離を超える移動をガイドするように構成できる。
【０１４２】
リンク７０は、前方端部７１から伸び、ドア３の回転軸ｃから遠くなる方向にふくらむように折り曲げられる第１屈曲部７３、及び第１屈曲部７３とリンク７０の後方端部７２間の第１屈曲部７３の反対方向にふくらむように折り曲げられた第２屈曲部７４を含むことができる。
【０１４３】
リンク７０の前方端部７１はドア３ｃの回転軸Ｃから離隔しているから、ドア３ｃがピボット動作するとき、ドア３ｃの一部、特に回転軸Ｃから前方端部７１までの部分（例えば、ドア３ｃのコーナー）がリンク７０と干渉し得る。この制約は、リンク７０の前方端部７１がドア３ｃの下面から特定距離だけ上方に離隔した部分でドア３ｃに連結されるとき又はリンク７０がドア３ｃの下面に結合されたがリンク７０が垂直方向に折り曲げられるときに克服される必要がある。この制約を防止するため、リンク７０はリンク７０の前方端部７１から伸びる特定区間で回転軸Ｃから遠くなる方向に膨らむように形成された第１屈曲部７３を含むように構成できる。
【０１４４】
第１屈曲部７３がリンク７０の全区間にわたって形成される場合、ドア３ｃとリンク７０間の干渉を易しく避けることができるが、第１屈曲部がふくらんでいる分だけドア３ｃの開閉中にリンク７０がドア３ｃによって覆われるようにすることが難しいことがあり得る。また、第２ピボットジョイントＪ２がドア３ｃの回転軸Ｃから離隔するようにすることが難しいことがあり得る。よって、第１屈曲部７３の反対方向にふくらんでいる第２屈曲部７４は第１屈曲部７３とリンク７０の後方端部７２の間に提供できる。
【０１４５】
図１１は実例の引出ユニット５０ｂを示す。図１１を参照すると、引出ユニット５０ｂは、別個の部材で形成された第１垂直バー５２０ａ及び第２垂直バー５２０ｂを含むことができる。第１垂直バー５２０ａ及び第２垂直バー５２０ｂの下端部はベース部５１の後面部５１４に結合できる。
【０１４６】
ベース部５１の後面部５１４には一対のホルダー５１８が形成できる。第１垂直バー５２０ａ及び第２垂直バー５２０ｂの下端部は一対のホルダー５１８内に挿入できる。ホルダー５１８は互いに対称状態の一対のリブ５１８ａ、５１８ｂを含むことができ、一対のリブ５１８ａ、５１８ｂは垂直バー５２０ａ、５２０ｂの両側を取り囲んで、垂直バー５２０ａ、５２０ｂの下端部が両リブ５１８ａ、５１８ｂの間に挿入されるポケット構造をなす“Ｌ”形を有する。
【０１４７】
垂直バー５２０ａ、５２０ｂの下端部が一対のリブ５１８ａ、５１８ｂの間に挿入されたとき、結合部材５６が下端部を通過してベース部５１の後面部５１４に結合できる。結合部材５６は垂直方向に互いに離隔した２個以上の地点で結合できる。
【０１４８】
垂直バー５２０ａ、５２０ｂはホルダー５１８内に挿入された状態でベース部５１の後面部５１４に結合されるとともにホルダー５１８の両リブ５１８ａ、５１８ｂが垂直バー５２０ａ、５２０ｂの両側面及び後面を取り囲んで固定するから、垂直バー５２０ａ、５２０ｂが後方にしなうことを防止することができ、横方向への搖れも減らすことができる。
【０１４９】
連結バー５３ａ、５３ｂの両端部はそれぞれ第１垂直バー５２０ａ及び第２垂直バー５２０ｂに結合できる。いくつかの実施例において、連結バー５３ａ、５３ｂは垂直バー５２０ａ、５２０ｂの後面に結合でき、また垂直バー５２０ａ、５２０ｂの前面に結合できる。連結バー５３ａ、５３ｂは垂直方向に複数が提供でき、連結バー５３ａ、５３ｂはそれぞれ垂直バー５２０ａ、５２０ｂの垂直部５２４、５２２（図９ｃ参照）に結合できる。
【０１５０】
図１２は実例の引出ユニット５０ｃを示す。引出ユニット５０ｃはベース部５１の上端部に沿って縦方向に伸びる補強バンド５１６を含むことができる。補強バンド５１６はベース部５１の両側面部５１２、５１３がベース部５１の後面部５１４と会うコーナーに対応する部分で折り曲げられることができ、ベース部５１の両側面部５１２、５１３及び後面部５１４を取り囲むことができる。
【０１５１】
補強バンド５１６は、ベース部５１の後面部５１４に結合された後面部５１６ａ、及び後面部５１６ａの両側から前方に伸びてそれぞれベース部５１の側面部５１２、５１３に結合される第１側面部５１６ｂ及び第２側面部５１６ｃを含むことができる。
【０１５２】
補強バンド５１６は金属材料で形成できる。例えば、金属板を長いバンド状に切断した後、コーナーに対応する部分を折り曲げることで補強バンド５１６を形成することができる。
【０１５３】
補強バンド５１６はベース部５１の外側を取り囲むように構成できる。両垂直バー５２０ａ、５２０ｂの下端部は補強バンド５１６の後面部５１６ａに結合できる。垂直バー５２０ａ、５２０ｂが金属材料で形成される場合、後面部５１６及び垂直バー５２０ａ、５２０ｂは熔接法で互いに結合できる。熔接の例としては、スポット熔接、プロジェクション溶接及びレーザー熔接を含むことができる。また、垂直バー５２０ａ、５２０ｂは結合部材によって後面部５１６ａに結合できる。
【０１５４】
いくつかの実施例において、引出ユニット５０ａ、５０ｂ、５０ｃはリンク７０によってドア３ｃと連動するから、ドア３ｃが閉まるうち引出ユニット５０ａ、５０ｂ、５０ｃが自動で後方に動くことができるが、この運動はドローアＤ１、Ｄ２、Ｄ３に対して独立的に行われることができる。よって、ドア３ｃが閉まるうちドローアＤ１、Ｄ２、Ｄ３を後方に押すためのユニットが必要であり得る。
【０１５５】
前述した機能は別個の復帰ユニット８０の助けなしにドア貯蔵部８ａ、８ｂ、８ｃによってなされることができる。すなわち、ドア３ｃが閉まっているうちにドローアＤ１、Ｄ２、Ｄ３がドア貯蔵部８ａ、８ｂ、８ｃによって後方に押されて移動することができる。ドア貯蔵部８ａ、８ｂ、８ｃは垂直方向に複数が配置でき、それぞれドローアＤ１、Ｄ２、Ｄ３に対応する高さに配置できる。
【０１５６】
いくつかの実施例において、ドローアＤ１、Ｄ２、Ｄ３の復帰動作がドア貯蔵部８ａ、８ｂ、８ｃによって行われる構造はドア貯蔵部８ａ、８ｂ、８ｃとドローアＤ１、Ｄ２、Ｄ３間の接触又は衝突によるものであるため、使用者がドア３ｃを強く閉めるとき、これら構成部品がその構成部品間の衝突によって損傷されることがあり、使用便宜性及び感じの観点で不利であり得る。よって、ドア３ｃが閉まるうちドローアＤ１、Ｄ２、Ｄ３を自動で復帰させるユニットが必要であり得る。以下、このユニットの一例として復帰ユニット８０を説明する。
【０１５７】
図１３は実例の復帰ユニット８０を示す。図１４ａ〜図１４ｃは実例の復帰ユニット８０を組み立てる実例の工程を示す。図１５は実例のロッカー８２を示す。図１６は実例のロッカー連結部材８４を示す。図１７は実例の連結タップ８５を示す。図１８は実例の復帰ユニット８０の順次動作を示す。
【０１５８】
復帰ユニット８０は、貯蔵室Ｓ３内に固定的に配置でき、後述するロッカー８２の運動をガイドするロッカーガイド８１、ロッカーガイド８１内に固定的に配置され、ロッカー８２の位置によって伸縮するスプリング８３、及びドローアＤと連動してロッカー８２を移動させるロッカー連結部材８４及び連結タップ８５を含むことができる。
【０１５９】
復帰ユニット８０はドローアＤが自動で原位置（ドア３ｃが閉まった状態にあるとき、ドアＤの位置）に復帰するようにドローアＤを後方に移動させることができ、ドローアＤ１、Ｄ２、Ｄ３に対して提供できる。
【０１６０】
いくつかの実施例において、図６に示すように、一つのドローアＤには一対の復帰ユニット８０が提供でき、復帰ユニット８０は垂直仕切り２０及びキャビネット１０の内側面１１に配置できる。いくつかの実施例において、復帰ユニット８０は必ずしも一つのドローアＤに対して一対で提供されなくてもよく、貯蔵室Ｓの両側面の一方にだけ提供されてもよい。
【０１６１】
復帰ユニット８０はブラケット１４に固定されることができる（図６及び図７参照）。より具体的に、ロッカーガイド８１がブラケット１４の復帰ユニット設置板１４５上にあるとき、ロッカーガイド８１及び復帰ユニット設置板１４５は結合部材によって互いに結合できる。
【０１６２】
ロッカー８２の少なくとも一部がロッカーガイド８１内に挿入でき、ロッカーガイド８１内にはロッカー８２の移動方向に沿って縦方向に伸びるロッカー移動路８１ａが形成できる。ロッカーガイド８１は互いに離隔することができ、ロッカー８２の移動方向に沿って縦方向に伸びる一対のハウジング板８１１、８１２を含むことができる。ロッカー移動路８１ａは一対のハウジング板８１１、８１２の間に形成された空間によって規定できる。復帰ユニット８０が図６及び図７に示すように取り付けられたとき、ロッカー移動路８１ａの両側が開放され、ロッカー８２の一部が両開放側のうちドローアＤの反対側を通じてロッカー移動路８１ａ内に挿入できる。
【０１６３】
したがって、ロッカー８２がロッカー移動路８１ａ内に挿入されたとき、上側に位置する一対のハウジング板８１１、８１２の第１ハウジング板８１１の下面はロッカー８２の上面と対向することができ、下側に位置する第２ハウジング板８１２の上面はロッカー８２の下面と対向することができる。ロッカー８２の下面は第２ハウジング板８１２の上面によって支持でき、ロッカー８２の上面は第１ハウジング板８１１の下面と接触することができる。
【０１６４】
図１５を参照すると、ロッカー８２は、ロッカー移動路８１ａに沿って動くロッカー本体８２０、及びロッカー本体８２０から垂直に突出する移動ガイド突起８３１（図１４ａ参照）を含むことができる。移動ガイド突起８３１はロッカー本体８２０の上面及び下面の少なくとも一方から突出することができる。
【０１６５】
第１ハウジング板８１１及び第２ハウジング板８１２の少なくとも一方には移動ガイド突起が挿入される直線ガイドスリット８１ｂが形成できる。直線ガイドスリット８１ｂは前後方に直線形に伸びることができる。
【０１６６】
ロッカー本体８２０及び移動ガイド突起８３１は単一部として形成される。いくつかの実施例において、第１ハウジング板８１１及び／又は第２ハウジング板８１２の干渉のため、移動ガイド突起８３１を直線ガイドスリット８１ｂ内に挿入しやすくないので、直線ガイドスリット８１ｂの一部は移動ガイド突起８３１が挿入される入口を形成するように切断される必要がある。よって、いくつかの実施例において、移動ガイド突起８３１はロッカー本体８２０とは別個の部材で形成でき、ロッカー本体８２０には移動ガイド突起８３１が挿合される突起結合孔８２２が形成できる。いくつかの実施例では、図１４ａに示すように、ロッカー本体８２０がロッカー移動路８１ａに挿入されたとき、ロッカー本体８２０の突起結合孔８２２は直線ガイドスリット８１ｂと整列され、移動ガイド突起８３１は直線ガイドスリット８１ｂを通じて突起結合孔内に挿入されることによってロッカー本体８２０と移動ガイド突起８３１を組み立てることができる。
【０１６７】
移動ガイド突起８３１はロッカー８２の上面及び下面から突出する両端部を有することができ、両端部は第１ハウジング板８１１及び第２ハウジング板８１２に形成された直線ガイドスリット８１ｂ内に挿入できる。第１ハウジング板８１１の直線ガイドスリット８１ｂ及び第２ハウジング板８１２の直線ガイドスリット８１ｂは互いに対応する位置に形成でき、よって上側又は下側から見るとき、両直線ガイドスリット８１ｂは互いに重畳することができる。
【０１６８】
また、ロッカー８２は移動ガイド突起８３１から特定距離だけ離隔した位置に配置された回転突起８２１を含むことができる。回転突起８２１はロッカー本体８２０と一体に形成できる。回転突起８２１は第１ハウジング板８１１の側面８１５及び／又は第２ハウジング板８１２の側面に沿って動くように提供できる。いくつかの実施例において、回転突起８２１はロッカー本体８２０の上側及び下側にそれぞれ突出する両端部を有することができ、その突出端部は第１ハウジング板８１１の側面８１５及び第２ハウジング板８１２の側面８２６に沿って動くように提供できる。
【０１６９】
回転突起８２１の回転動作をガイドするために、ロッカーガイド８１には回転ガイド溝８１７ａ、８１７ｂが形成できる。回転ガイド溝８１７ａ、８１７ｂは第１ハウジング板８１１及び第２ハウジング板８１２に形成でき、それぞれハウジング板８１１、８１２の側面８１５、８１６から伸びることができる。
【０１７０】
移動ガイド突起８３１が直線ガイドスリット８１ｂ内で移動して特定位置に到達するとき、回転ガイド溝８１７ａ、８１７ｂの案内によって移動ガイド突起８３１を中心に回転突起８２１が回転動作する。
【０１７１】
回転ガイド溝８１７ａ、８１７ｂは、回転突起８２１が移動ガイド突起８３１を中心にドローアＤから遠くなる方向に回転するように、回転突起８２１をガイドすることができる。第１ハウジング板８１１の一部（又は第２ハウジング板８１２の側面８１５、８１６の一部）はドローアＤから遠くなる方向に折り曲げられることができ、この屈曲部は回転ガイド溝８１７ａ、８１７ｂの少なくとも一部を構成することができる。すなわち、回転突起８２１は側面８１５、８１６に沿って前方に移動して回転ガイド溝８１７ａ、８１７ｂ内に挿入できる。
【０１７２】
いくつかの実施例において、移動ガイド突起８３１が直線ガイドスリット８１ｂの前端部に位置するとき、例えば移動ガイド突起８３１が直線ガイドスリット８１ｂによって前方にそれ以上移動することができないように遮断されたとき、回転突起８２１の回転動作が始まることができる。いくつかの実施例において、回転ガイド溝８１７ａ、８１７ｂは実質的に中心としての移動ガイド突起８３１を有し、半径として移動ガイド突起８３１と回転突起８２１間の距離を有する円弧形に形成できる。
【０１７３】
いくつかの実施例において、回転ガイド溝８１７ａ、８１７ｂの形状は必ずしも円弧形ではなくてもよい。例えば、回転突起８２１が回転ガイド溝８１７ａ、８１７ｂ内に挿入されたときであっても移動ガイド突起８３１は直線ガイドスリット８１ｂに沿って連続的に移動することができる。いくつかの実施例において、回転ガイド溝８１７ａ、８１７ｂは回転突起８２１が挿入される入口から曲率半径が徐々に増加する曲線を形成することができる。
【０１７４】
突起結合孔８２２はロッカー本体８２０の上面及び下面に貫設できる。いくつかの実施例において、移動ガイド突起８３１はロッカー本体８２０の厚さより大きな長さを有するように形成できる。よって、移動ガイド突起８３１が突起結合孔８２２内に挿入されたとき、移動ガイド突起８３１の上端部はロッカー本体８２０の上面から突出し、その下端部はロッカー本体８２０の下面から突出することができる。これら突出部は第１ハウジング板８１１に形成された直線ガイドスリット８１ｂ及び第２ハウジング板８１２に形成された直線ガイドスリット８１ｂ内に挿入できる。
【０１７５】
スプリング８３はロッカー移動路８１ａ内に配置できる。スプリング８３の一端部はロッカーガイド８１に固定され、他端部はロッカー８２に結合できる。ロッカー本体８２０には固定溝８２５が形成でき、この固定溝８２５はスプリング８３の他端部に結合するための適切な形状を有することができる。
【０１７６】
ロッカー８２がロッカー移動路８１ａに沿って前方に移動するに従い、スプリングが伸長することができる。その後、回転突起８２１が特定区間を超えて回転ガイド溝８１７ａ、８１７ｂに沿って移動するとき、回転ガイド溝８１７ａ、８１７ｂとの干渉又は摩擦接触によって回転突起８２１は位置が制限されて固定されることができ、スプリング８３は最大伸長状態で維持できる。回転突起８２１の制限が解除されるとき、伸長したスプリング８３に蓄積された弾性又は復帰エネルギーがロッカー８２を原位置に復帰させることができる。
【０１７７】
ロッカー連結部材８４及び連結タップ８５を含む連結ユニットはドローアＤの移動動作によってロッカー８２を移動させることができる。いくつかの実施例において、連結ユニット８４、８５はドローアと一緒に移動する第１連結ユニット４２とロッカー８２を連結するように構成でき、ドローアＤとロッカー８２を連結するように構成されることもできる。
【０１７８】
ロッカー本体８２０はロッカー連結部材８４及び連結タップ８５によって第１可動レール４２に連結できる。ロッカー本体８２０はドローアＤと対向する側面に形成された結合溝８２３を有することができる。ロッカー連結部材８４は結合溝８２３内に挿入される結合突起８４５を含むことができる。結合突起８４５及び結合溝８２３は互いに着脱可能に結合できる。
【０１７９】
ロッカー連結部材８４及び連結タップ８５は単一部材として形成できるが、いくつかの実施例では、第１可動レール４２に固定された連結タップ８５、及び連結タップ８５とは別個の部材で形成されて連結タップ８５とロッカー８２を連結するロッカー連結部材８４を含むように構成されることもできる。
【０１８０】
連結タップ８５の上端部８５１は第１可動レール４２に結合できる。前述したように、第１可動レール４２はドローアＤと一緒に移動するから、連結タップはドローアＤと一緒に移動することができる。いくつかの実施例において、連結タップ８５はドローアＤに直接結合されることもできる。
【０１８１】
連結タップ８５の下端部８５２はロッカー連結部材８４に結合でき、ロッカー連結部材８４に着脱可能に結合できる。連結タップ８５の下端部８５２には垂直方向に切断された一対のスリット８５２ａ、８５２ｂが形成でき、ロッカー連結部材８４は一対のスリット８５２ａ、８５２ｂ内に挿入された一対の挿入板８４３ａ、８４３ｂを含むことができる。
【０１８２】
ロッカー連結部材８４は互いに平行な第１板体部８４１及び第２板体部８４２を含むことができる。一対の挿入板８４３ａ、８４３ｂは第１板体部８４１と第２板体部８４２の間に配置できる。結合突起８４５は第２板体部８４２から突出することができる。
【０１８３】
連結タップ８５は一対のスリット８５２ａ、８５２ｂの間にタップ部８５４を含むことができ、タップ部８５４は一対の挿入板８４３ａ、８４３ｂの間に形成された空間内に挿入できる。タップ部８５４は一対の挿入板８４３ａ、８４３ｂの間の空間にしまり嵌めされることができるので、連結タップ８５とロッカー連結部材８４は互いに一体に動くことができる。
【０１８４】
連結タップ８５の上端部８５１及び下端部８５２は垂直板状に形成でき、連結タップ８５の中間部８５３は下端部８５２から上端部８５１までドローアＤに次第に近接する傾斜板状に形成できる。
【０１８５】
図１８を参照すると、復帰ユニット８０は次のように動作することができる。
【０１８６】
ドア３ｃが閉まったとき（図１８（ａ）参照）、ロッカー連結部材８４の結合突起８４５はロッカー８２の結合溝８２３内に挿入できる。ドア３ｃが開くうち、ドローアＤは引出ユニット５０ａ、５０ｂ、５０ｃによって前方に押されて移動することができ、ロッカー８２はドローアＤと一緒に移動することができる。いくつかの実施例において、ロッカー８２の移動ガイド突起８３１は直線ガイドスリット８１ｂに沿って移動することができる。
【０１８７】
ロッカー８２が連続的に移動するとともに回転突起８２１が回転ガイド溝８１７ａに沿って移動するとき、ロッカー８２は移動ガイド突起８３１上から前方に（図１８で、時計方向に）回転することができる。よって、ロッカー連結部材８４の結合突起８４５はロッカー８２の結合溝８２３から分離できる。いくつかの実施例において、回転突起８２１は回転ガイド溝８１７ａ、８１７ｂの端部に位置してもよく、スプリング８３は最大に伸長することができる（図１８（ｂ）参照）。
【０１８８】
回転ガイド溝８１７ａ、８１７ｂを適切な形状に構成することにより、ロッカー８２及びロッカー連結部材８４が互いに分離された状態にあっても、回転突起８２１の位置が維持できる。例えば、ハウジング板８１１、８１２の側面８１５、８１６の曲率、ドローアＤの移動方向に対する回転ガイド溝８１７ａ、８１７ｂの角度、及び回転ガイド溝８１７ａ、８１７ｂと回転突起８２１間の摩擦力を適切に設計することにより、回転突起８２１はロッカー８２及びロッカー連結部材８４が互いに分離されたときであってもスプリング８３の復元力を克服しその位置を維持することができる。図１８ｃで、ロッカー８２とロッカー連結部材８４が互いに分離されても回転突起８２１の位置は図１８（ｂ）の位置と実質的に同一に示されている。
【０１８９】
ロッカー連結部材８４の結合突起８４５がロッカー８２の結合溝８２３から分離されたときであっても、ドローアＤはドア３ｃが完全に開放するまで（図１８ｃ参照）引出ユニット５０ａ、５０ｂ、５０ｃによって前方にさらに移動することができる。使用者が再びドア３ｃを閉めるとき、ドア３ｃ又はドア３ｃの後面部に位置する構成部品（例えば、ドア貯蔵部８ａ、８ｂ、８ｃ）がドローアＤと接触することができる。よって、ドローアＤは後方に押されて移動し、ロッカー８２は後方に回転することができる。いくつかの実施例において、回転突起８２１はさらに回転ガイド溝８１７ａ、８１７ｂに沿ってガイドされた後、回転ガイド溝８１７ａ、８１７ｂから脱することができる。
【０１９０】
ロッカー連結部材８４の結合突起８４５はさらにロッカー８２の結合溝８２３内に挿入され、よってロッカー８２及びドローアＤがさらにロッカー連結部材８４及び連結タップ８５によって連結できる。また、ロッカー８２はスプリング８３の復元力によって後方に移動し、よってドローアＤも後方に移動して原位置（例えば、ドア３ｃが閉まったとき、ドローアＤの位置）に復帰することができる。
【０１９１】
図１９（ａ）及び図１９（ｂ）は冷蔵庫１ｂの実例の貯蔵室Ｓ３を示す。図２０は実例のドローアＤ１、Ｄ２、Ｄ３、実例のドローアガイド４０ｂ及び実例の引出ユニット５０ａの組立体を示す。
【０１９２】
ドローアガイド４０ｂは前後方への長さが変わることができる支持バー４０ｂを含むことができる。支持バー４０ｂは貯蔵室Ｓ３内に配置されて貯蔵室Ｓ３の後面Ｓ（ｒ）とドローアＤ１、Ｄ２、Ｄ３を連結することができる。また、支持バー４０ｂは、ドローアＤ１、Ｄ２、Ｄ３が貯蔵室Ｓ３内で特定高さに位置するように、ドローアＤ１、Ｄ２、Ｄ３を支持することができる。
【０１９３】
支持バー４０ｂは貯蔵室Ｓ３の後面Ｓ（ｒ）とドローアＤ１、Ｄ２、Ｄ３間の距離によって長さが変わっても良い。ドローアＤ１、Ｄ２、Ｄ３はドア３ｃが開くとき引出ユニット５０ａによって前方に押されて移動するから、貯蔵室Ｓ３の後面Ｓ（ｒ）とドローアＤ１、Ｄ２、Ｄ３間の距離が増加して支持バー４０ｂの長さが増加することができる。いくつかの実施例において、ドア３ｃが閉まるうち、ドローアＤ１、Ｄ２、Ｄ３はドア３ｃ又はドア貯蔵室８ａの押圧力によって又は復帰ユニット８０の動作によって自動で後方に移動することができ、よって支持バー４０ｂの長さが増加することができる。
【０１９４】
支持バー４０ｂは、前後方に縦方向に伸びて貯蔵室Ｓ３の後面Ｓ（ｒ）に固定される固定バー４７、及びドローアＤ１、Ｄ２、Ｄ３に固定され、長手方向に固定バー４７に伸長可能に結合される可動バー４６を含むことができる。ドア３ｃが開放したとき、可動バー４６はドローアＤ１、Ｄ２、Ｄ３と一緒に前方に移動することができ、よって支持バー４０ｂの全長が可動バー４６の移動距離分のだけ増加することができる。
【０１９５】
可動バー４６は一端部（又は前方端部）がドローアＤ１、Ｄ２、Ｄ３の後面に結合できる。可動バー４６は実質的な水平方向に伸びることができ、よって固定バーも水平方向に伸びることができる。また、可動バー４６は他端部（又は後方端部）が可動バー４６と実質的に同じ高さで貯蔵室Ｓ３の後面Ｓ（ｒ）に固定できる。この構造において、支持バー４６はドローアＤ１、Ｄ２、Ｄ３によって覆われるから、使用者が貯蔵室Ｓ３を覗き見るとき、支持バー４６及び支持バー４６の設置構造が隠されることができる。
【０１９６】
複数のドローアＤ１、Ｄ２、Ｄ３が提供される場合、支持バー４０ｂはドローアＤ１、Ｄ２、Ｄ３に合わせて複数が提供でき、一つのドローアＤに対して一対の支持バー４０ｂが提供できる。
【０１９７】
いくつかの実施例において、３個のドローアＤ１、Ｄ２、Ｄ３は垂直方向に配置でき、ドローアＤ１、Ｄ２、Ｄ３のそれぞれは貯蔵室Ｓ３の幅方向に離隔した一対の支持バー４０ｂによって支持できる。いくつかの実施例において、複数のドローアＤ１、Ｄ２、Ｄ３の最下側に位置するドローアＤ３は引出ユニット５０ａのベース部５１によって支持でき、いくつかの実施例では、ドローアＤ３を支持するための支持バー４０ｂが省略できる。
【０１９８】
図２０を参照すると、一つのドローアＤ（例えば、Ｄ１）に合わせて提供された一対の支持バー４０ｂが第１支持バー４０ｂ（１）及び第２支持バー４０ｂ（２）であると仮定するとき、第１支持バー４０ｂ（１）及び第２支持バー４０ｂ（２）は後方フレーム５２の第１垂直バー５２０ａと第２垂直バー５２０ｂの間に配置できる。
【０１９９】
一対の垂直バー５２０ａ、５２０ｂ間の空間は支持バー４０の設置のための空間として用いることができる。いくつかの実施例では、一つのドローアＤ１が一対の支持バー４０ｂ（１）、４０ｂ（２）によって支持される構造が提案された。いくつかの実施例において、ドローアＤ１は一つの支持バー４０ｂによって支持される。支持バー４０ｂは十分な剛性を有するように構成でき、よってドローアＤ１は一つの支持バー４０ｂによってだけ支持できる。
【０２００】
いくつかの実施例において、後方フレーム５２は第１支持バー４０ｂ（１）と第２支持バー４０ｂ（２）の間に配置できる。すなわち、ドローアＤ１、Ｄ２、Ｄ３が左右への搖れなしに安定に支持できるように第１支持バー４０ｂ（１）と第２支持バー４０ｂ（２）の間には十分なギャップが設けられ、そのギャップには後方フレーム５２が設けられるので、貯蔵室Ｓ３の内部空間を効率的に用いることができる。
【０２０１】
図１９及び図２０には引出ユニット５０ａが示されているが、引出ユニット５０ｂ又は引出ユニット５０ｃも適用できる。
【０２０２】
図２１は冷蔵庫の貯蔵室Ｓ３を示す。図２１を参照すると、ドローアガイド４０ａはドローアＤ１、Ｄ２、Ｄ３（以下、例えばＤ１）を下側から支持するために貯蔵室Ｓ３の後面Ｓ（ｒ）によって支持され、前後方に伸びる片持ち梁４０ｃを含むことができる。
【０２０３】
片持ち梁４０ｃの後端部は貯蔵室Ｓ３の後面Ｓ（ｒ）に結合できる。特に、片持ち梁４０ｃは貯蔵室Ｓ３の後面Ｓ（ｒ）に着脱可能に結合できる。このために、貯蔵室Ｓ３の後面Ｓ（ｒ）には片持ち梁４０ｃの後方端部に着脱可能に結合されるスロットが形成できる。特に、スロットは設置可能なドローアＤ１、Ｄ２、Ｄ３の位置によって複数が垂直方向に配置でき、使用者は片持ち梁４０ｃをスロット上に所望の位置に取り付けることができる。
【０２０４】
ドローアＤ１は片持ち梁４０ｃに沿って前後方に移動するように配置でき、ドローアＤ１の下面には片持ち梁４０ｃの上端部が挿入される溝が縦方向に形成できる。
【０２０５】
ドア３ｃが開いたとき、ドローアＤ１は片持ち梁４０ｃによって支持された状態で引出ユニット５０ａによって前方に押されて移動することができる。いくつかの実施例において、ドローアＤ１、Ｄ２、Ｄ３はドア３ｃ又はドア貯蔵部８ａの押圧力によって又は片持ち梁４０ｃによって支持された状態での復帰ユニット８０の動作によって自動で後方に移動することができる。
【０２０６】
複数のドローアＤ１、Ｄ２、Ｄ３が提供される場合、片持ち梁４０ｃはドローアＤ１、Ｄ２、Ｄ３に合わせて多数が提供でき、一つのドローアＤに対して一対の片持ち梁４０ｃが提供できる。
【０２０７】
いくつかの実施例では、３個のドローアＤ１、Ｄ２、Ｄ３が垂直方向に配置でき、ドローアＤ１、Ｄ２、Ｄ３のそれぞれは貯蔵室Ｓ３の幅方向に離隔した一対の片持ち梁４０ｃによって支持できる。いくつかの実施例において、複数のドローアＤ１、Ｄ２、Ｄ３の最下側に位置するドローアＤ３は引出ユニット５０ａのベース部５１によって支持でき、いくつかの実施例で、ドローアＤ３を支持するための片持ち梁４０ｃは省略できる。
【０２０８】
図２１に示すように、後方フレーム５２の第１垂直バー５２０ａと第２垂直バー５２０ｂの間には一対の片持ち梁４０ｃが配置できる。いくつかの実施例で、後方フレーム５２は一対の片持ち梁４０ｃの間にも配置できる。
【０２０９】
図２１には引出ユニット５０ａが示されているが、引出ユニット５０ｂ又は引出ユニット５０ｃも適用できる。
【０２１０】
図２２はドローアの実例の選択的引出機構を示す拡大斜視図である。図２３は図２２の線ＶＩＩ−ＶＩＩについての縦断面図である。
【０２１１】
図２２及び図２３を参照すると、引出ユニット５０ｄは、リンク連結部５１９及びカバー部材５４０を含むことができる。リンク連結部５１９はベース部５１の底部５１１に前後方に縦方向に形成された長孔形状を有することができる。カバー部材５４０はリンク連結部５１９上に着座できる。
【０２１２】
具体的に、リンク連結部５１９は、カバー部材５４０が着座できるようにベース部５１の底部５１１から段差を成すカバー着座段差部５１９ａ、及びカバー着座段差部５１９ａの内部に楕円形に縦方向に形成されたスリット５１７を含むことができる。また、スリット５１７内に差し込まれた結合突起７６が後方端部７２、つまりリンク７０のベース部連結端部７２から突出することができる。結合突起７６は、リンク７０の後端部７２から上方に突出してスリット５１７を通過する連結軸７７、及び連結軸７７に結合されるようにリンク連結部５１９の内部に配置される突出ヘッド７８を含むことができる。突出ヘッド７８は連結軸を中心に回転することができる一種のベアリング部材となることができ、ワッシャを含むことができる。
【０２１３】
また、前方ヒンジ（図示せず）がリンク７０の前方端部７１から突出してドア３ｃの下面内に挿入できる。カバー部材５４０は、結合突起５７が前後方に移動することを遮断するために、スリット５１７の一部を覆うことができる。
【０２１４】
カバー着座段差部５１９ａはカバー部材５４０の厚さに対応する深みで段差を成すように形成され、カバー部材５４０の上面がベース部５１の底部と同一面をなすようにすることができる。
【０２１５】
また、カバー着座段差部５１９ａ及びスリット５１７の前方端部及び後方端部は突出ヘッド７８の外周と対応する曲率を有するように丸く形成できる。ドア３ｃが閉まったとき、結合突起７６はスリット５１７及びカバー着座段差部５１９ａの後方端部に密着することができ、引出ユニット５０ｄが最大に引き出されたとき、結合突起５７はスリット５１７及びカバー着座段差部５１９ａに密着することができる。
【０２１６】
一方、カバー部材５４０の前方端部はカバー着座段差部５１９ａの曲率と同じ曲率でふくらんで丸く形成でき、その後方端部は突出ヘッド７８の曲率と同じ曲率でへこんで丸く形成できる。よって、結合突起７６がカバー着座段差部５１９ａの後方端部に位置するとともにカバー部材５４０がカバー着座段差部５１９ａに結合されたとき、結合突起７６の突出ヘッド７８はカバー部材５４０の後方端部及びカバー着座段差部５１９ａの後方端部によって取り囲まれることができ、よって前後方への移動が遮断できる。
【０２１７】
まず、使用者がドローアを自動で引き出す機能を用いようとする場合、ドア３ｃが開き、引出ユニット５０ｄが最大に引き出されることができる。この場合は、結合突起５７がスリット５１７内に挿入された状態で維持されることを前提とすることができる。
【０２１８】
また、ドア３ｃの開放角は、結合突起５７がスリット５１７の後方端部に位置するようにリンク７０の後方端部７２を移動させることができるように制御できる。この状態で、カバー部材５４０はカバー着座段差部５１９ａ上に着座できる。この時、結合突起７６は前後方に動けない。この場合、ドア３ｃが閉鎖方向にピボット動作すれば引出ユニット５０ｄが一緒に後方に移動することができる。
【０２１９】
反対に、ドローアの自動引出機能を不可能にするために、使用者は、カバー部材５４０がカバー着座段差部５１９ａ上に着座されたとき、ドア３ｃを開けて引出ユニット５０ｄが前方に引き出されるようにすることができる。この状態で、使用者はカバー部材５４０をカバー着座段差部５１９ａから分離することができる。この時、結合突起７６はスリット５１７の内部で前後方に自由に移動することができる。
【０２２０】
結合突起７６がスリット５１７の後方端部に密着した状態でドア３ｃが後方にピボット動作するとき、引出ユニット５０ｄは一緒に後方に移動することができる。ドア３ｃが全く閉まったとき、引出ユニット５０ｄは冷蔵庫の最も内部に位置することになる。この状態で、ドア３ｃが開くように前方にピボット動作すれば、引出ユニット５０ｄは静止状態で維持され、結合突起７６のみがスリット５１７に沿って前方に移動することができる。また、ドア３ｃが最大に開放したが、結合突起７６はスリット５１７の前方端部より遠く移動しないように維持できる。
【０２２１】
図２４はドローアの他の実例の選択的引出機構を示す拡大斜視図である。図２５は図２４の線ＩＸ−ＩＸについての縦断面図である。
【０２２２】
図２４及び図２５を参照すると、本実施形態によるドローアの選択的引出機構はカバー部材５４０がスライド移動するように引出ユニット５０ｄのベース部５１１に連結されるという点で違いを有することができる。また、カバー部材５４０はスライド移動可能であるとともに着脱可能な構造に構成できる。
【０２２３】
具体的に、カバー部材５４０、カバー着座段差部５１９ａ及びスリット５１７の構造又は形状は以前の実施形態と類似することができる。
【０２２４】
以前の実施形態とは違い、カバー部材５４０の下面には少なくとも一つのガイド突起５４１が突設されることができ、カバー着座段差部５１９ａの側面にはカバー収容凹部５１９ｃが形成できる。また、カバー収容凹部５１９ｃには、ガイド突起５４１を収容するように、突起ガイド溝５１９ｄが横方向に特定長さだけ形成できる。
【０２２５】
カバー収容凹部５１９ｃの横方向幅は少なくともカバー部材５４０の幅以上であってもよく、カバー収容凹部５１９の縦方向への長さはカバー部材５４０の縦方向への長さに対応するように形成できる。カバー収容凹部５１９はカバー部材５４０の厚さに対応する深みだけ偏平に段差を成すことができる。
【０２２６】
前述した構造で、カバー部材５４０がカバー着座段差部５１９ａに結合されたとき、カバー部材５４０の上面はベース部５１の底面と同一面をなすことができ、ガイド突起５４１は突起ガイド溝５１９ｄの入口端部に位置してもよい。ここで、突起ガイド溝５１９ｄの左側端部は入口端部となり、スリット５１７と連通することができる。
【０２２７】
カバー部材５４０がカバー着座段差部５１９ａ上に装着された状態で、結合突起７６はスリット５１７に沿って移動しない。言い替えれば、ドローアの自動引出機能が不可能な状態にある。
【０２２８】
しかし、ドローアの自動引出機能を不可能にするために、カバー部材５４０はカバー着座段差部５１９ａが開放するように右側に押される。具体的に、カバー部材５４０が右側にスライドするとき、ガイド突起５４１は突起ガイド溝５１９ｄに沿って右側に移動することができる。ガイド突起５４１が突起ガイド溝５１９ｄの右側端部に到達したとき、カバー部材５４０の右側面はカバー収容凹部５１９ｃの右側面に密着することができる。この状態で、ドア３ｃが開放するようにピボット動作すれば、結合突起７６がスリット５１７に沿って前方に移動し、引出ユニット５０ｄは静止状態で維持できる。
【０２２９】
図２６は本発明の他の実施形態による引出ユニットを示す拡大斜視図である。図２６を参照すると、本実施形態と以前の実施形態の相違点は引出ユニット５０ｄとドア３ｃを連結するリンク７００が複数のジョイント（すなわち、多重ジョイント）で構成される点にある。
【０２３０】
ドア３ｃの初期開放段階で、つまりドア３ｃの後面上の縁部に設けられてキャビネット１０の前面に密着しているガスケットがキャビネット１０の前面から分離される時点でガスケット内に装着された磁石とキャビネット１０間の磁力を克服するための力が必要であり得る。よって、ドア３ｃに比較的大きな力が印加される必要がある。その後、一旦ガスケットがキャビネット１０から分離されれば、ドア３は比較的小さな力でピボット動作することができる。ここで、ドア３ｃがキャビネット１０に密着したとき、引出ユニット５０ｄを移動させるための力は不要であるが、ドア３ｃがキャビネット１０の前面から分離された後に引出ユニット５０ｄを前方に移動させるための力が必要な場合、使用者は比較的小さな力でドア３ｃを開けることができる。
【０２３１】
この点において、リンク７００が多重ジョイント構造で構成される場合、引出ユニット５０ｄはドア３ｃがピボット動作し始めてから少しの遅延時間後に移動することができる。
【０２３２】
リンク７００は貯蔵室Ｓ３の底面に沿って前後方に動けるように提供でき、貯蔵室Ｓ３の底面の前方側には遮蔽カバー１５が装着できる。また、リンク７００が遮蔽カバー１５の下側で前後方に動けるようにすることによって、リンク７００が外部に露出することを最小化することができる。
【０２３３】
多重ジョイントリンク７００は、ドア３ｃの下面に連結された前方端部を有する第１リンク部材７１０、第１リンク部材７１０の後方端部にピボット動作可能に連結された第２リンク部材７２０、及び第２リンク部材７２０の後方端部に連結された第３リンク部材７３０を含むことができる。また、結合突起が第３リンク部材７３０の後方端部の上面から突出してベース部５１の下面に形成された孔内に挿入できる。
【０２３４】
また、第１リンク部材７１０の後方端部及び第３リンク部材７３０の前方端部は共に第２リンク部材７２０の上面に結合されてリンク連結部の厚さを最小化することができる。第１リンク部材７１０の後方端部が第２リンク部材７２０上に配置されるとともに第３リンク部材７３０の前方端部が第２リンク部材７２０の下側に配置されて段差形状を形成する場合、リンク連結部の厚さが減少し、よってリンク７００とベース部５１の底部５１１の間のギャップが拡大することができる。
【０２３５】
第１リンク部材７１０は他のリンク部材７２０、７３０より長くてもよく、第２及び第３リンク部材７２０、７３０は実質的に同じ長さを有してもよい。ここで、引出ユニット５０ｄを構成するベース部５１０の引出開始点はリンク部材の数及びリンクの幾何学的形状及び長さによって違うように設定できる。
【０２３６】
図２７〜図２９はドアの開放角による引出ユニットの変位を示す図面及びグラフである。
【０２３７】
図２７のグラフを参照すると、Ｌ１はドローアの変位を指示し、Ｌ２はドアの開放角を指示する。
【０２３８】
左側図に示すように、ドア３ｃが閉まったとき（ａ１、ｂ１）、引出ユニット５０ｄ、具体的にベース部５１は静止状態で維持できる。また、ドア３ｃが閉まったとき、第２リンク部材７２０及び第３リンク部材７３０は９０度より小さな鋭角をなしてもよい。
【０２３９】
図２８を参照すると、使用者がドア３ｃを開け始めて、開放角が徐々に増加して最終的に約６０度に到達するとき（ａ２、ｂ２）、ベース部５１は前方に移動し始めることができる。地点ｂ２はベース部５１が静止状態から移動状態に転換される閾値点と定義できる。
【０２４０】
ベース部５１が前方に移動し始めるとき、第２リンク部材７２０と第３リンク部材７３０はほぼ直線となるように広がることができる。言い替えれば、第２リンク部材７２０と第３リンク部材７３０が相対的にピボット動作することができ、よって第２リンク部材７２０と第３リンク部材７３０間の角度が９０度より小さな鋭角から約１８０度に変化することができる。
【０２４１】
図２９を参照すると、ドア３ｃが最大にピボット動作したとき、ベース部５１は前方に最大に移動することができる。
【０２４２】
具体的に、リンク７００の前方端部はドア３ｃが最大に開放する前に前方に最大に移動することができ、この状態でドア３ｃがさらにピボット動作して最大開放角に到達しても、リンク７００の前方端部はむしろ後方に移動することができる。
【０２４３】
また、ベース部５１はドア３ｃが最大開放角に到達する前に前方に最大に移動することができ、ドア３ｃが最大開放角に到達する地点（ａ３、ｂ３）で前方に最大に移動することができる。
【０２４４】
代案として、ベース部５１はドア３ｃが最大に開放したときにも最大に引き出されず、ドア３ｃが最大に開放したときから特定時間が経過した後に最大に引き出されることができる。これは、リンク７００がベース部５１を設定時間の間に引くとき、引出ユニット５０ｄの慣性によってベース部５１が前方にさらに移動してから停止するからである。
【図１】
0006496419.tif 000002
【図２】
0006496419.tif 000003
【図３】
0006496419.tif 000004
【図４】
0006496419.tif 000005
【図５】
0006496419.tif 000006
【図６】
0006496419.tif 000007
【図７】
0006496419.tif 000008
【図８】
0006496419.tif 000009
【図９ａ】
0006496419.tif 000010
【図９ｂ】
0006496419.tif 000011
【図９ｃ】
0006496419.tif 000012
【図１０ａ】
0006496419.tif 000013
【図１０ｂ】
0006496419.tif 000014
【図１０ｃ】
0006496419.tif 000015
【図１１】
0006496419.tif 000016
【図１２】
0006496419.tif 000017
【図１３】
0006496419.tif 000018
【図１４ａ】
0006496419.tif 000019
【図１４ｂ】
0006496419.tif 000020
【図１４ｃ】
0006496419.tif 000021
【図１５】
0006496419.tif 000022
【図１６】
0006496419.tif 000023
【図１７】
0006496419.tif 000024
【図１８】
0006496419.tif 000025
【図１９ａ】
0006496419.tif 000026
【図１９ｂ】
0006496419.tif 000027
【図２０】
0006496419.tif 000028
【図２１】
0006496419.tif 000029
【図２２】
0006496419.tif 000030
【図２３】
0006496419.tif 000031
【図２４】
0006496419.tif 000032
【図２５】
0006496419.tif 000033
【図２６】
0006496419.tif 000034
【図２７】
0006496419.tif 000035
【図２８】
0006496419.tif 000036
【図２９】
0006496419.tif 000037